(57)【要約】【課題】  小型かつ全ズーム範囲で倍率色収差を良好に補正可能なズームレンズを得ること。【解決手段】  本発明に係るズームレンズＺＬの複数のレンズ群は、物体側から像側へ順に配置された、正の屈折力の第１レンズ群Ｌ１、負の屈折力の第２レンズ群Ｌ２、複数のレンズ群を含み全体として正の屈折力の後群Ｌｒからなり、第１レンズ群Ｌ１は最も物体側に配置された負レンズＧ１ｎと、該負レンズの像側に配置された複数の正レンズを有し、後群Ｌｒは正レンズＧｒｐを有する。後群中最も像側のレンズ群は正レンズＧｒｐを有する。このとき、負レンズＧ１ｎのアッベ数、正レンズＧｒｐの屈折率ｎｄｒｐ、広角端と望遠端のそれぞれにおけるバックフォーカスｓｋｔ、ｓｋｗについて適切に定めたことを特徴とする。【選択図】  図１
2019158960.tif 000002
【特許請求の範囲】
【請求項１】
複数のレンズ群を有し、ズーミングに際して隣り合うレンズ群の間隔が変化するズームレンズであって、
前記複数のレンズ群は、物体側から像側へ順に配置された、正の屈折力の第１レンズ群、負の屈折力の第２レンズ群、複数のレンズ群を含み全体として正の屈折力の後群からなり、
広角端から望遠端へのズーミングに際して、前記第１レンズ群が物体側へ移動し、
前記第１レンズ群は、最も物体側に配置された負レンズと、該負レンズの像側に配置され該負レンズよりも材料のアッベ数が大きな正レンズを複数有し、
前記後群中の最も像側に配置されたレンズ群は正レンズＧｒｐを有し、
前記前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔとするとき、
１５．００＜νｄ１ｎ＜２３．４０
１．７０＜ｎｄｒｐ＜２．２０
１．５０＜ｓｋｔ／ｓｋｗ＜２．６０
なる条件式を満たすことを特徴とするズームレンズ。
【請求項２】
前記第１レンズ群に含まれる複数の正レンズの材料のｄ線における屈折率の平均値をｎｄ１ｐとするとき、
１．６０＜ｎｄ１ｐ＜２．００
なる条件式を満たすことを特徴とする請求項１に記載のズームレンズ。
【請求項３】
前記正レンズＧｒｐの材料のアッベ数をνｄｒｐとするとき
０．４０＜νｄ１ｎ／νｄｒｐ＜１．００
なる条件式を満たすことを特徴とする請求項１又は２に記載のズームレンズ。
【請求項４】
前記第２レンズ群の焦点距離をｆ２とするとき、
０．８０＜｜ｆ２｜／ｓｋｗ＜１．８０
なる条件式を満たすことを特徴とする請求項１乃至３のいずれか１項に記載のズームレンズ。
【請求項５】
前記第１レンズ群の焦点距離をｆ１とするとき、
２．３０＜ｆ１／ｓｋｔ＜４．７０
なる条件式を満たすことを特徴とする請求項１乃至４のいずれか１項に記載のズームレンズ。
【請求項６】
前記正レンズＧｒｐの焦点距離をｆｒｐ、望遠端における前記ズームレンズの焦点距離をｆｔとするとき、
０．４０＜ｆｒｐ／ｆｔ＜１．４０
なる条件式を満たすことを特徴とする請求項１乃至５のいずれか１項に記載のズームレンズ。
【請求項７】
望遠端における前記ズームレンズのＦナンバーをＦｎｏｔ、前記第１レンズ群の焦点距離をｆ１、望遠端における前記ズームレンズの焦点距離をｆｔとするとき、
３．００＜（Ｆｎｏｔ×ｆ１）／ｆｔ＜５．５０
なる条件式を満たすことを特徴とする請求項１乃至６のいずれか１項に記載のズームレンズ。
【請求項８】
前記第２レンズ群の焦点距離をｆ２、広角端における前記ズームレンズの焦点距離をｆｗとするとき、
０．５０＜｜ｆ２｜／ｆｗ＜１．００
なる条件式を満たすことを特徴とする請求項１乃至７のいずれか１項に記載のズームレンズ。
【請求項９】
望遠端における前記ズームレンズのレンズ全長をＬｔとするとき、
３．８０＜Ｌｔ／ｓｋｔ＜７．６０
なる条件式を満たすことを特徴とする請求項１乃至８のいずれか１項に記載のズームレンズ。
【請求項１０】
前記正レンズＧｒｐの物体側のレンズ面の曲率半径をＲ１、前記正レンズＧｒｐの像面側のレンズ面の曲率半径をＲ２とするとき、
０．００＜（Ｒ１＋Ｒ２）／（Ｒ１−Ｒ２）＜４．００
なる条件式を満たすことを特徴とする請求項１乃至９のいずれか１項に記載のズームレンズ。
【請求項１１】
前記後群は、前記正レンズＧｒｐよりも物体側に配置された正レンズであって該正レンズの材料のアッベ数をνｆｐとするとき、
７３．００＜νｆｐ＜１００．００
なる条件式を満たす正レンズＧｆｐを有することを特徴とする請求項１乃至１０のいずれか１項に記載のズームレンズ。
【請求項１２】
前記正レンズＧｆｐの焦点距離をｆｆｐとするとき、
１．４０＜ｆｆｐ／ｆｗ＜２．００
なる条件式を満たすことを特徴とする請求項１１に記載のズームレンズ。
【請求項１３】
広角端における前記正レンズＧｒｐの像側のレンズ面から像面までの光軸上の距離をＬｒｐ、広角端における前記ズームレンズのレンズ全長をＬｗとするとき、
０．０５＜Ｌｒｐ／Ｌｗ＜０．２０
なる条件式を満たすことを特徴とする請求項１乃至１２のいずれか１項に記載のズームレンズ。
【請求項１４】
広角端から望遠端へのズーミングに際して、前記第１レンズ群と前記第２レンズ群の間隔は広がることを特徴とする請求項１乃至１３のいずれか１項に記載ズームレンズ。
【請求項１５】
前記後群は、物体側から像側へ順に配置された、正の屈折力の第３レンズ群、正の屈折力の第４レンズ群、負の屈折力の第５レンズ群、負の屈折力の第６レンズ群からなることを特徴とする請求項１乃至１４のいずれか１項に記載のズームレンズ。
【請求項１６】
前記後群は、物体側から像側へ順に配置された、正の屈折力の第３レンズ群、負の屈折力の第４レンズ群、負の屈折力の第５レンズ群、正の屈折力の第６レンズ群からなることを特徴とする請求項１乃至１４のいずれか１項に記載のズームレンズ。
【請求項１７】
前記後群は、物体側から像側へ順に配置された、正の屈折力の第３レンズ群、正の屈折力の第４レンズ群、負の屈折力の第５レンズ群、正の屈折力の第６レンズ群からなることを特徴とする請求項１乃至１４のいずれか１項に記載のズームレンズ。
【請求項１８】
前記後群は、物体側から像側へ順に配置された、正の屈折力の第３レンズ群、正の屈折力の第４レンズ群からなることを特徴とする請求項１乃至１４のいずれか１項に記載のズームレンズ。
【請求項１９】
前記後群は、物体側から像側へ順に配置された、正の屈折力の第３レンズ群、負の屈折力の第４レンズ群、正の屈折力の第５レンズ群、負の屈折力の第６レンズ群、正の屈折力の第７レンズ群からなることを特徴とする請求項１乃至１４のいずれか１項に記載のズームレンズ。
【請求項２０】
請求項１乃至１９のいずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズ及び撮像装置に関する。
【背景技術】
【０００２】
撮像装置等に用いられるズームレンズには、小型かつ全ズーム範囲で諸収差が良好に補正可能であることが望まれている。
【０００３】
特許文献１には、物体側から像側へ順に配置された、正の屈折力の第１レンズ群、負の屈折力の第２レンズ群、正の屈折力の第３レンズ群、正の屈折力の第４レンズ群からなるズームレンズであって、比較的バックフォーカスが長いズームレンズが記載されている。このズームレンズは、広角端において第４レンズ群に起因して生じる倍率色収差を第４レンズ群中の正レンズの材料を低屈折率材料とすることにより補正し、望遠端において第１レンズ群に起因して生じる倍率色収差を第１レンズ群中の負レンズの材料を適切に選択することにより補正している。
【先行技術文献】
【特許文献】
【０００４】
【特許文献１】特開２０１３−４４７９５号公報
【発明の概要】
【発明が解決しようとする課題】
【０００５】
特許文献１に記載のズームレンズをさらに小型化する場合は、バックフォーカスの短縮化やズームレンズの外径の小型化のために第１レンズ群の屈折力を強める必要がある。第１レンズ群の屈折力は、第１レンズ群中の負レンズの材料をよりアッベ数の小さな材料で構成することにより強めることができる。しかし、特許文献１に記載のズームレンズにおいて単に第１レンズ群の負レンズの材料のアッベ数のみを変更してしまうと、望遠端において倍率色収差を補正することが困難になる。
【０００６】
本発明は上記課題に鑑みてなされたものであり、小型かつ全ズーム範囲で倍率色収差が良好に補正可能なズームレンズ及び撮像装置を得ることを目的とする。
【課題を解決するための手段】
【０００７】
本発明の一実施例に係るズームレンズは、複数のレンズ群を有し、ズーミングに際して隣り合うレンズ群の間隔が変化するズームレンズであって、前記複数のレンズ群は、物体側から像側へ順に配置された、正の屈折力の第１レンズ群、負の屈折力の第２レンズ群、複数のレンズ群を含み全体として正の屈折力の後群からなり、広角端から望遠端へのズーミングに際して、前記第１レンズ群が物体側へ移動し、前記第１レンズ群は、最も物体側に配置された負レンズと、該負レンズの像側に配置され該負レンズよりも材料のアッベ数が大きな正レンズを複数有し、前記後群中の最も像側に配置されたレンズ群は正レンズＧｒｐを有し、前記前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔとするとき、
１５．００＜νｄ１ｎ＜２３．４０
１．７０＜ｎｄｒｐ＜２．２０
１．５０＜ｓｋｔ／ｓｋｗ＜２．６０
なる条件式を満たすことを特徴とする。
【発明の効果】
【０００８】
本発明によれば、小型かつ全ズーム範囲で倍率色収差を良好に補正可能なズームレンズ及び撮像装置を得ることができる。
【図面の簡単な説明】
【０００９】
【図１】実施例１のズームレンズの断面図である。
【図２】実施例１のズームレンズの収差図である。
【図３】実施例２のズームレンズの断面図である。
【図４】実施例２のズームレンズの収差図である。
【図５】実施例３のズームレンズの断面図である。
【図６】実施例３のズームレンズの収差図である。
【図７】実施例４のズームレンズの断面図である。
【図８】実施例４のズームレンズの収差図である。
【図９】実施例５のズームレンズの断面図である。
【図１０】実施例５のズームレンズの収差図である。
【図１１】撮像装置の構成を示す図である。
【発明を実施するための形態】
【００１０】
以下、本発明の実施例に係るズームレンズ及び撮像装置について、添付の図面に基づいて詳細に説明する。
【００１１】
［光学系の実施例］
各実施例のズームレンズは、デジタルビデオカメラ、デジタルカメラ、銀塩フィルムカメラ、テレビカメラ等の撮像装置に用いられる撮影光学系である。図１、３、５、７、９に示すズームレンズの断面図において、左方が物体側（前方）であり、右方が像側（後方）である。また各断面図において、ｉを物体側から像側へのレンズ群の順番とすると、Ｌｉは第ｉレンズ群を示す。また、開口絞りＳＰは、開放Ｆナンバー（Ｆｎｏ）の光束を決定（制限）する。
【００１２】
無限遠物体から最至近距離物体へのフォーカシングに際して、フォーカスレンズ群は、図中の破線矢印に示すように移動する。広角端から望遠端へのズーミングに際して、各レンズ群は、図中の実線矢印に示すように移動し、隣り合うレンズ群の間隔が変化する。
【００１３】
デジタルビデオカメラやデジタルカメラなどに各実施例のズームレンズを使用する場合は、像面ＩＰは、ＣＣＤセンサまたはＣＭＯＳセンサ等の撮像素子（光電変換素子）に相当する。銀塩フィルムカメラに各実施例の光学系を使用する場合は、像面ＩＰはフィルム面に相当する。
【００１４】
図２、４、６、８、１０は、各実施例の光学系の収差図である。球面収差図においてＦｎｏはＦナンバーである。球面収差図において実線はｄ線（波長５８７．６ｎｍ）、二点鎖線はｇ線（波長４３５．８ｎｍ）である。非点収差図において破線Ｍはメリディオナル像面、実線Ｓはサジタル像面である。歪曲収差はｄ線について示している。倍率色収差はｇ線について示している。ωは半画角（度）、ＦｎｏはＦナンバーである。
【００１５】
本明細書において、「レンズ群」は、複数のレンズから構成されていてもよいし、１枚のレンズから構成されていてもよい。「広角端」はズームレンズの焦点距離が最も短くなるズーム位置を意味し、「望遠端」はズームレンズの焦点距離が最も長くなるズーム位置を意味する。「バックフォーカス」は、ズームレンズの最終面から近軸像面までの距離を空気換算長により表記したものである。「レンズ全長」は、ズームレンズの最前面から最終面までの光軸上の距離にバックフォーカスを加えたものである。ある材料のアッベ数νｄは、ｇ線（波長４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇ、ＮＦ、Ｎｄ、ＮＣとするとき、νｄ＝（Ｎｄ−１）／（ＮＦ−ＮＣ）として表す。
【００１６】
本発明の実施例に係るズームレンズは、複数のレンズ群を含み、ズーミングに際して隣合うレンズ群の間隔が変化する。複数のレンズ群は、具体的には、物体側から像側へ順に配置された、正の屈折力の第１レンズ群と、負の屈折力の第２レンズ群と、複数のレンズ群を含み全体として正の屈折力の後群からなる。広角端から望遠端へのズーミングに際して、第１レンズ群が物体側へ移動する。さらに、第１レンズ群は、最も物体側に配置された負レンズ（以下、負レンズＧ１ｎという）と、負レンズＧ１ｎの像側に配置されかつ負レンズＧ１ｎよりもアッベ数の大きな正レンズを複数有し、後群は少なくとも１つの正レンズを有する。後群中の最も像側に配置されたレンズ群は正レンズＧｒｐを含む。さらに、以下の条件式（１）〜（３）を満たす。
１５．００＜νｄｎ＜２３．４０            ・・・・・・（１）
１．７０＜ｎｄｒｐ＜２．２０              ・・・・・・（２）
１．５０＜ｓｋｔ／ｓｋｗ＜２．６０        ・・・・・・（３）
【００１７】
ただし、第１レンズ群の最も物体側に配置された負レンズＧ１ｎの材料のアッベ数をνｄｎとする。正レンズＧｒｐの材料のｄ線における屈折率をｎｄｒｐとする。広角端におけるズームレンズのバックフォーカスをｓｋｗ、望遠端におけるズームレンズのバックフォーカスをｓｋｔとする。
【００１８】
ズームレンズは、第１レンズ群を負レンズＧ１ｎと複数の正レンズにより構成することによって、第１レンズ群の屈折力を強くしている。これにより、入射側で光束を十分に収斂させ、ズームレンズの外径を小さくすることができる。さらに、広角端におけるレンズ全長を短縮できる。
【００１９】
広角端から望遠端へのズーミングに際して、第１レンズ群が物体側に移動することにより、広角端に比べて望遠端における第１レンズ群と第２レンズ群との間隔が大きくなるようにしている。これにより、軸上光束の光束径が大きくなる望遠端において、第１レンズ群から射出した軸上光束が収斂する距離を比較的長く確保し、後群を小型化することができる。
【００２０】
条件式（１）〜（３）は、ズームレンズの小型化と全ズーム範囲において倍率色収差を良好に補正するための条件を示している。負レンズＧ１ｎのアッベ数を小さめにして第１レンズ群の屈折力を強めることでズームレンズの小型化を図っている。望遠端において第１レンズ群に起因して生じる倍率色収差を第１レンズ群のレンズを用いて補正することは困難となるが、広角端と望遠端におけるバックフォーカスの差を比較的大きくとることにより、広角端において最も像側のレンズ群を通る軸上光束の周辺光線の高さを低くし、広角端における倍率色収差を低減している。そして、後群中の最も像側のレンズ群に高屈折率材料からなる正レンズＧｒｐを配置することにより、広角端における倍率色収差だけでなく望遠端において生じる倍率色収差も補正可能にしている。
【００２１】
以下、条件式（１）〜（３）のそれぞれについて説明する。
【００２２】
条件式（１）は負レンズＧ１ｎのアッベ数に関し、条件式（１）を満たすことによりズームレンズの小型化と高性能化を両立できる。条件式（１）の下限値を下回って、アッベ数が小さくなると、負レンズＧ１ｎの材料が高分散材料となって、望遠端において倍率色収差の補正が困難となるため好ましくない。条件式（１）の上限値を上回って、アッベ数が大きくなると、第１レンズ群の正レンズの材料と負レンズＧ１ｎの材料のアッベ数が近くなり、望遠端における軸上色収差の補正が困難となるため好ましくない。また、負レンズＧ１ｎの材料のアッベ数が大きくなることで、第１レンズ群の各レンズの屈折力が強くなるため、望遠端での球面収差の補正が困難となるため好ましくない。さらに、負レンズＧ１ｎの材料のアッベ数が大きくなることで、第１レンズ群の各レンズが光軸方向に厚くなって特に広角端におけるレンズ全長の短縮が困難となるため好ましくない。
【００２３】
条件式（２）は、正レンズＧｒｐの屈折率ｎｄｒｐに関し、条件式（２）を満たすことにより、全ズーム範囲で諸収差の変動が少なく、かつ画面全体にわたり高い光学性能を得ることができる。条件式（２）の下限値を下回って正レンズＧｒｐの材料の屈折率が小さくなると、選択可能な正レンズＧｒｐの材料は低分散かつ異常分散性が大きすぎる材料となり、望遠端において第１レンズ群で発生する倍率色収差を打ち消すことが困難となるため好ましくない。さらに、正レンズＧｒｐの材料の屈折率が小さくなることにより、ペッツバール和の負の成分の補正が困難となり、全ズーム範囲で像面湾曲がオーバーとなるため好ましくない。条件式（２）の上限値を上回って正レンズＧｒｐの材料の屈折率が大きくなると、選択可能な正レンズＧｒｐの材料は高分散かつ異常分散性が大きすぎる材料となり、望遠端において第１レンズ群で発生する倍率色収差を補正することが困難となるため好ましくない。
【００２４】
条件式（３）は広角端におけるバックフォーカスｓｋｗと望遠端におけるバックフォーカスｓｋｔの比に関し、条件式（３）を満たすことにより、全ズーム範囲において、倍率色収差を良好に補正することが可能となる。条件式（３）の下限値を下回ると、広角端における正レンズＧｒｐの位置と望遠端における正レンズＧｒｐの位置の変化量が小さくなる。すなわち、広角端において正レンズＧｒｐを通過する軸上光束の周辺光線の高さと、望遠端において正レンズＧｒｐを通過する軸上光束の周辺光線の高さの差が小さくなる。よって望遠端においても広角端においても倍率色収差が生じてしまい、全ズーム範囲にわたって倍率色収差を十分に補正することが困難となるため好ましくない。条件式（３）の上限値を上回って、望遠端におけるバックフォーカスが長くなると、望遠端においてレンズ全長が長くなり、ズームレンズの小型化が困難になるため好ましくない。
【００２５】
以上説明した構成及び条件式を満たすことにより、小型かつ全ズーム範囲で倍率色収差の補正ができるズームレンズを得ることができる。
【００２６】
なお、好ましくは条件式（１）〜（３）の数値範囲を次のように設定するとよい。
１７．００＜νｄｎ＜２３．２０              ・・・・・・（１ａ）
１．７３＜ｎｄｒｐ＜２．１５                ・・・・・・（２ａ）
１．６０＜ｓｋｔ／ｓｋｗ＜２．５５          ・・・・・・（３ａ）
【００２７】
さらに好ましくは、条件式（１）〜（３）の数値範囲を次のように設定するとよい。
１９．００＜νｄｎ＜２２．９０              ・・・・・・（１ｂ）
１．７５＜ｎｄｒｐ＜２．１０                ・・・・・・（２ｂ）
１．７０＜ｓｋｔ／ｓｋｗ＜２．５０          ・・・・・・（３ｂ）
【００２８】
さらに、実施例に係るズームレンズは、以下の条件式（４）〜（１４）のうち１つ以上を満たすことが好ましい。
１．６０＜ｎｄ１ｐ＜２．００                ・・・・・・（４）
０．４０＜νｄ１ｎ／νｄｒｐ＜１．００      ・・・・・・（５）
０．８０＜｜ｆ２｜／ｓｋｗ＜１．８０        ・・・・・・（６）
２．３０＜ｆ１／ｓｋｔ＜４．７０            ・・・・・・（７）
０．４０＜ｆｒｐ／ｆｔ＜１．４０            ・・・・・・（８）
３．００＜（Ｆｎｏｔ×ｆ１）／ｆｔ＜５．５０    ・・・・（９）
０．５０＜｜ｆ２｜／ｆｗ＜１．００          ・・・・・・（１０）
３．８０＜Ｌｔ／ｓｋｔ＜７．６０            ・・・・・・（１１）
０．００＜（Ｒ１＋Ｒ２）／（Ｒ１−Ｒ２）＜４．００・・・（１２）
７３．００＜νｆｐ＜１００．００            ・・・・・・（１３）
１．４０＜ｆｆｐ／ｆｗ＜２．００            ・・・・・・（１４）
０．０５＜Ｌｒｐ／Ｌｗ＜０．２０            ・・・・・・（１５）
【００２９】
ただし、第１レンズ群中の複数の正レンズの材料のｄ線における屈折率の平均値をｎｄ１ｐとする。正レンズＧｒｐの材料のアッベ数をνｄｒｐとする。第１レンズ群の焦点距離をｆ１、第２レンズ群の焦点距離をｆ２、正レンズＧｒｐの焦点距離をｆｒｐ、望遠端におけるズームレンズの焦点距離をｆｔ、広角端における前記ズームレンズの焦点距離をｆｗとする。望遠端におけるズームレンズのＦナンバーをＦｎｏｔとする。望遠端におけるズームレンズのレンズ全長をＬｔとする。正レンズＧｒｐの物体側のレンズ面の曲率半径をＲ１、像面側のレンズ面の曲率半径をＲ２とする。正レンズＧｒｐよりも物体側に配置された正レンズＧｆｐのアッベ数をνｆｐとし、正レンズＧｆｐの焦点距離をｆｆｐとする。広角端における正レンズＧｒｐの像側のレンズ面から像面までの光軸上の距離をＬｒｐ、広角端における前記ズームレンズのレンズ全長をＬｗとする。なお、正レンズＧｒｐの像側のレンズ面から像面までの光軸上の距離とは、正レンズＧｒｐの像側のレンズ面からズームレンズの最も像側のレンズ面までの光軸上の距離に、広角端におけるズームレンズのバックフォーカスを足した距離である。
【００３０】
条件式（４）は第１レンズ群中の正レンズの材料の屈折率の平均値に関する。条件式（４）の下限値を下回って第１レンズ群中の正レンズの材料の屈折率の平均値ｎｄ１ｐが小さくなると、負レンズＧ１ｎを通過する軸外光束の主光線の高さが高くなり、負レンズＧ１ｎが径方向に大きくなる。これにより、ズームレンズの小型化が困難になるので好ましくない。さらに、第１レンズ群中の正レンズの材料の屈折率の平均値ｎｄ１ｐが小さくなることによって、第１レンズ群の屈折力が小さくなると、レンズ全長の短縮が困難となるため好ましくない。条件式（４）の上限値を上回って第１レンズ群中の正レンズの材料の屈折率の平均値ｎｄ１ｐが大きくなると、選択可能な正レンズの材料は高分散材料となる。そのため、望遠端において、第１レンズ群で発生する軸上色収差及び倍率色収差の補正が困難となるため好ましくない。
【００３１】
条件式（５）は、負レンズＧ１ｎと正レンズＧｒｐのそれぞれの材料のアッベ数の比に関する。条件式（５）の下限値を下回って正レンズＧｒｐのアッベ数が大きくなると、選択可能な正レンズＧｒｐの材料は異常分散性が大きすぎる材料となる。そのため、望遠端において、第１レンズ群で発生する軸上色収差及び倍率色収差の補正が困難となるため好ましくない。さらに、条件式（５）の下限値を下回って正レンズＧｒｐのアッベ数が大きくなると、選択可能な正レンズＧｒｐの材料の屈折率は低くなり、ペッツバール和の負の成分を補正しづらくなり、全ズーム範囲で像面湾曲がオーバーとなりやすくなるため好ましくない。条件式（５）の上限値を上回って正レンズＧｒｐのアッベ数が大きくなると、選択可能な正レンズＧｒｐの材料は異常分散性が大きすぎる材料となる。そのため、望遠端において、第１レンズ群で発生する軸上色収差及び倍率色収差の補正が困難となるため好ましくない。
【００３２】
条件式（６）は第２レンズ群の焦点距離と広角端におけるバックフォーカスの比に関する。条件式（６）の下限値を下回って第２レンズ群の焦点距離が短くなり（焦点距離の絶対値が小さくなり）、負の屈折力が強くなると、ズーミングに伴う球面収差及び倍率色収差の変動が大きくなるため好ましくない。条件式（６）の上限値を上回って第２レンズ群の焦点距離が長くなり（焦点距離の絶対値が大きくなり）、第２レンズ群の負の屈折力が弱くなると、ズームレンズをレトロフォーカスタイプの屈折力配置とするのが難しくなる。これにより、広角端において撮像画角を広くすることが困難となるため好ましくない。
【００３３】
条件式（７）は、第１レンズ群の焦点距離と望遠端におけるバックフォーカスの比に関する。条件式（７）の下限値を下回って第１レンズ群の焦点距離が短くなり、第１レンズ群の屈折力が強くなると、望遠端において球面収差の補正が困難となるため好ましくない。条件式（７）の上限値を上回って第１レンズ群の焦点距離が長くなり、第１レンズ群の正の屈折力が弱くなると、ズーミングに際して第１レンズ群の移動量が大きくなる。これにより、望遠端においてズームレンズのレンズ全長が長くなるので好ましくない。さらに、第１レンズ群の正の屈折力が弱いことにより、負レンズＧ１ｎを通過する軸外光束の主光線の高さが高くなり、負レンズＧ１ｎが径方向に大きくなる。これにより、ズームレンズの小型化が困難になるので好ましくない。
【００３４】
条件式（８）は、正レンズＧｒｐの焦点距離とバックフォーカスの比に関する。条件式（８）の下限値を下回って正レンズＧｒｐの焦点距離が短くなり、正レンズＧｒｐの屈折力が強くなると、広角端において像面湾曲及び歪曲収差の補正が困難となるため好ましくない。条件式（８）の上限値を上回って正レンズＧｒｐの焦点距離が長くなり、正レンズＧｒｐの屈折力が弱くなると、望遠端において倍率色収差の補正が困難となるため好ましくない。
【００３５】
条件式（９）は、Ｆナンバーと第１レンズ群の焦点距離を乗算した値と、望遠端におけるズームレンズの焦点距離の比に関する。条件式（９）を満たすことにより、Ｆナンバーが比較的小さく、レンズ全長が短く、かつ全ズーム範囲において球面収差を低減したズームレンズを得ることができる。条件式（９）の下限値を下回って第１レンズ群の焦点距離が短くなり、第１レンズ群の屈折力が強くなると、望遠端において球面収差の補正が困難となるため好ましくない。条件式（９）の上限値を上回って第１レンズ群の焦点距離が長くなり、第１レンズ群の正の屈折力が弱くなると、ズーミングに際して第１レンズ群の移動量が大きくなる。これにより、望遠端においてズームレンズのレンズ全長が長くなるので好ましくない。さらに、第１レンズ群の正の屈折力が弱いことにより、負レンズＧ１ｎを通過する軸外光束の主光線の高さが高くなり、負レンズＧ１ｎが径方向に大きくなる。これにより、ズームレンズの小型化が困難になるので好ましくない。
【００３６】
条件式（１０）は第２レンズ群の焦点距離と広角端におけるバックフォーカスの比に関する。条件式（１０）の下限値を下回って第２レンズ群の焦点距離が短くなり（焦点距離の絶対値が小さくなり）、第２レンズ群の負の屈折力が強くなると、ズーミングに伴う球面収差及び倍率色収差の変動を小さくすることが困難となるため好ましくない。条件式（１０）の上限値を上回って第２レンズ群の焦点距離が長くなり（焦点距離の絶対値が大きくなり）、第２レンズ群の負の屈折力が弱くなると、ズームレンズをレトロフォーカスタイプの屈折力配置とするのが難しくなる。これにより、広角端において撮像画角を広くすることが困難となるため好ましくない。
【００３７】
条件式（１１）は望遠端におけるレンズ全長と望遠端におけるバックフォーカスの比に関する。条件式（１１）の下限値を下回って、望遠端におけるバックフォーカスが長くなると、望遠端においてレンズ全長が長くなり、ズームレンズが大型化するため好ましくない。条件式（１１）の上限値を上回って、望遠端におけるバックフォーカスが短くなると、望遠端において正レンズＧｒｐを通過する軸上光束の周辺光線の高さが条件式（１１）を満たす場合に比べて低くなる。これにより、望遠端において倍率色収差の補正が困難となるため好ましくない。
【００３８】
条件式（１２）は正レンズＧｒｐのシェイプファクターに関する。条件式（１２）の下限を下回って、正レンズＧｒｐの物体側のレンズ面の曲率半径が、像側のレンズ面の曲率半径より小さくなると、広角端において像面湾曲の補正が困難となるため好ましくない。条件式（１２）の上限値を上回って、像側のレンズ面の曲率半径が小さくなると、望遠端において球面収差の補正が困難となるため好ましくない。
【００３９】
条件式（１３）は後群中の正レンズＧｆｐのアッベ数に関し、条件式（１３）を満足することで、望遠端において軸上色収差を良好に補正し、かつ広角端において倍率色収差を良好に補正することができる。条件式（１３）の下限値を下回って正レンズＧｆｐのアッベ数が小さくなると、望遠端において軸上色収差の補正が困難になり、広角端においては倍率色収差の補正が困難となるため好ましくない。条件式（１３）の上限値を上回って正レンズＧｆｐのアッベ数が大きくなると、望遠端における軸上色収差の補正が過剰となり、それにより、望遠端において軸上色収差が大きくなるため好ましくない。  条件式（１４）は正レンズＧｆｐの焦点距離に関する。条件式（１４）の下限値を下回って正レンズＧｆｐの焦点距離が短くなり、正レンズＧｆｐの屈折力が強くなると、望遠端において球面収差の補正が困難となるため好ましくない。条件式（１４）の上限値を上回って正レンズＧｆｐの焦点距離が長くなり、正レンズＧｆｐの屈折力が弱くなると、望遠端における軸上色収差の補正、及び広角端での倍率色収差の補正が困難となるため好ましくない。
【００４０】
条件式（１５）は、広角端において、軸上光束の周辺光線の高さが低くなる像面近傍に正レンズＧｒｐが配置されることを示している。条件式（１５）の下限値を下回って正レンズＧｒｐの位置が像面に近くなると、正レンズＧｒｐのズームレンズが径方向に大型化するため好ましくない。条件式（１５）の上限値を上回って正レンズＧｒｐの位置が像面から離れると、正レンズＧｒｐを通過する軸上光束の周辺光線の高さが高くなり、広角端における倍率色収差の補正が困難になるため好ましくない。
【００４１】
なお、条件式（１５）を満たす正レンズが複数ある場合は、正レンズＧｒｐは最も大きな屈折率の材料からなる正レンズである。
【００４２】
なお、好ましくは条件式（４）〜（１５）の数値範囲を次のように設定するとよい。
１．６２＜ｎｄ１ｐ＜１．９０                ・・・・・・（４ａ）
０．４３＜νｄ１ｎ／νｄｒｐ＜０．９８      ・・・・・・（５ａ）
０．９０＜｜ｆ２｜／ｓｋｗ＜１．７０        ・・・・・・（６ａ）
２．５０＜ｆ１／ｓｋｔ＜４．５０            ・・・・・・（７ａ）
０．４５＜ｆｒｐ／ｆｔ＜１．３０            ・・・・・・（８ａ）
３．２０＜（Ｆｎｏｔ×ｆ１）／ｆｔ＜５．２０      ・・・（９ａ）
０．６０＜｜ｆ２｜／ｆｗ＜０．９０          ・・・・・・（１０ａ）
４．２０＜Ｌｔ／ｓｋｔ＜７．１０                ・・・・（１１ａ）
０．０５＜（Ｒ１＋Ｒ２）／（Ｒ１−Ｒ２）＜３．５０・・・（１２ａ）
７３．５０＜νｆｐ＜９８．００              ・・・・・・（１３ａ）
１．４５＜ｆｆｐ／ｆｗ＜１．９０            ・・・・・・（１４ａ）
０．０６＜Ｌｒｐ／Ｌｗ＜０．１７            ・・・・・・（１５ａ）
【００４３】
さらに好ましくは、条件式（４）〜（１５）の数値範囲を次のように設定するとよい。
１．６３＜ｎｄ１ｐ＜１．８５                ・・・・・・（４ｂ）
０．４５＜νｄ１ｎ／νｄｒｐ＜０．９５      ・・・・・・（５ｂ）
１．００＜｜ｆ２｜／ｓｋｗ＜１．６０        ・・・・・・（６ｂ）
２．６０＜ｆ１／ｓｋｔ＜４．２０            ・・・・・・（７ｂ）
０．５０＜ｆｒｐ／ｆｔ＜１．２５            ・・・・・・（８ｂ）
３．３０＜（Ｆｎｏｔ×ｆ１）／ｆｔ＜５．００      ・・・（９ｂ）
０．６５＜｜ｆ２｜／ｆｗ＜０．８５          ・・・・・・（１０ｂ）
４．５０＜Ｌｔ／ｓｋｔ＜６．８０            ・・・・・・（１１ｂ）
０．１０＜（Ｒ１＋Ｒ２）／（Ｒ１−Ｒ２）＜３．０  ・・・（１２ｂ）
７４．００＜νｆｐ＜９６．００              ・・・・・・（１３ｂ）
１．５０＜ｆｆｐ／ｆｗ＜１．８５            ・・・・・・（１４ｂ）
０．０７＜Ｌｒｐ／Ｌｗ＜０．１５            ・・・・・・（１５ｂ）
【００４４】
上記条件式の少なくとも１つを満たすことで、ズームレンズの小型化でき、かつ全ズーム範囲で倍率色収差を良好に補正することができる。
【００４５】
以下、本発明の実施例に係るズームレンズについて説明する。
【００４６】
［実施例１］
図１は実施例１のズームレンズＺＬの断面図であり、図２（Ａ）は広角端において無限遠に合焦しているときのズームレンズＺＬの収差図であり、図２（Ｂ）は望遠端において無限遠に合焦しているときのズームレンズＺＬの収差図である。
【００４７】
実施例１に係るズームレンズＺＬは、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、負の屈折力の第６レンズ群Ｌ６からなる。開口絞りＳＰは第３レンズ群の最も物体側に配置されている。
【００４８】
具体的には、広角端から望遠端へのズーミングに際して、全てのレンズ群が物体側へ移動する。当該ズーミングに際して、第１レンズ群Ｌ１と第２レンズ群Ｌ２の間隔は広がり、第２レンズ群Ｌ２と第３レンズ群Ｌ３の間隔は狭まり、第３レンズ群Ｌ３と第４レンズ群Ｌ４の間隔は狭まり、第４レンズ群Ｌ４と第５レンズ群Ｌ５の間隔は広がり、第５レンズ群Ｌ５と第６レンズ群Ｌ６の間隔は広がる。
【００４９】
無限遠物体から最至近距離物体へのフォーカシングに際して第５レンズ群Ｌ５が像側へ移動する。像ぶれ補正に際して、第４レンズ群Ｌ４が光軸に垂直方向の成分を含む方向に移動する。
【００５０】
第１レンズ群Ｌ１は、最も物体側から像側に順に配置された、負レンズＧ１ｎ、正レンズＧ２ｐ、正レンズＧ２ｎからなる。正レンズＧｆｐは絞りの像側に隣接して配置されたレンズであり、正レンズＧｒｐはズームレンズＺＬの最も像側に配置されたレンズである。
【００５１】
これらの構成により、図２の収差図に示すように小型かつ全ズーム範囲で倍率色収差補正ができるズームレンズを得ることができる。
【００５２】
［実施例２］
図３は実施例２のズームレンズＺＬの断面図であり、図４（Ａ）は広角端において無限遠に合焦しているときのズームレンズＺＬの収差図であり、図４（Ｂ）は望遠端において無限遠に合焦しているときのズームレンズＺＬの収差図である。
【００５３】
実施例２に係るズームレンズＺＬは、物体側から像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、負の屈折力の第５レンズ群Ｌ５、正の屈折力の第６レンズ群Ｌ６からなる。開口絞りＳＰは第３レンズ群の最も物体側に配置されている。
【００５４】
具体的には、広角端から望遠端へのズーミングに際して、全てのレンズ群が物体側へ移動する。当該ズーミングに際して、第１レンズ群Ｌ１と第２レンズ群Ｌ２の間隔は広がり、第２レンズ群Ｌ２と第３レンズ群Ｌ３の間隔は狭まり、第３レンズ群Ｌ３と第４レンズ群Ｌ４の間隔は広がり、第４レンズ群Ｌ４と第５レンズ群Ｌ５の間隔は狭まり、第５レンズ群Ｌ５と第６レンズ群Ｌ６の間隔は広がる。
【００５５】
無限遠物体から最至近距離物体へのフォーカシングに際して第４レンズ群Ｌ４が像側へ移動する。像ぶれ補正に際して、第３レンズ群Ｌ３の部分群ＩＳが光軸に垂直方向の成分を含む方向に移動する。
【００５６】
第１レンズ群Ｌ１は、最も物体側から像側に順に配置された、負レンズＧ１ｎ、正レンズＧ２ｐ、正レンズＧ２ｎからなる。正レンズＧｆｐは部分群ＩＳの像側に隣接して配置されたレンズであり、正レンズＧｒｐはズームレンズＺＬの最も像側に配置されたレンズである。
【００５７】
これらの構成により、図４の収差図に示すように小型かつ全ズーム範囲で倍率色収差補正ができるズームレンズを得ることができる。
【００５８】
［実施例３］
図５は実施例３のズームレンズＺＬの断面図であり、図６（Ａ）は広角端において無限遠に合焦しているときのズームレンズＺＬの収差図であり、図６（Ｂ）は望遠端において無限遠に合焦しているときのズームレンズＺＬの収差図である。
【００５９】
実施例３に係るズームレンズＺＬは、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、正の屈折力の第６レンズ群Ｌ６からなる。開口絞りＳＰは第３レンズ群の最も物体側に配置されている。
【００６０】
具体的には広角端から望遠端へのズーミングに際して、全てのレンズ群が物体側へ移動する。当該ズーミングに際して、第１レンズ群Ｌ１と第２レンズ群Ｌ２の間隔は広がり、第２レンズ群Ｌ２と第３レンズ群Ｌ３の間隔は狭まり、第３レンズ群Ｌ３と第４レンズ群Ｌ４の間隔は狭まり、第４レンズ群Ｌ４と第５レンズ群Ｌ５の間隔は狭まり、第５レンズ群Ｌ５と第６レンズ群Ｌ６の間隔は広がる。
【００６１】
無限遠物体から最至近距離物体へのフォーカシングに際して第５レンズ群Ｌ５が像側へ移動する。像ぶれ補正に際して、第３レンズ群Ｌ３の部分群ＩＳが光軸に垂直方向の成分を含む方向に移動する。
【００６２】
第１レンズ群Ｌ１は、最も物体側から像側に順に配置された、負レンズＧ１ｎ、正レンズＧ２ｐ、正レンズＧ２ｎからなる。正レンズＧｆｐは部分群ＩＳの像側に隣接して配置されたレンズであり、正レンズＧｒｐはズームレンズＺＬの最も像側から２番目に配置されたレンズである。
【００６３】
これらの構成により、図６の収差図に示すように小型かつ全ズーム範囲で倍率色収差補正ができるズームレンズを得ることができる。
【００６４】
［実施例４］
図７は実施例４のズームレンズＺＬの断面図であり、図８（Ａ）は広角端において無限遠に合焦しているときのズームレンズＺＬの収差図であり、図８（Ｂ）は望遠端において無限遠に合焦しているときのズームレンズＺＬの収差図である。
【００６５】
実施例４に係るズームレンズＺＬは、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４からなる。開口絞りＳＰは第３レンズ群の最も物体側に配置されている。
【００６６】
具体的には広角端から望遠端へのズーミングに際して、全てのレンズ群が物体側へ移動する。当該ズーミングに際して、第１レンズ群Ｌ１と第２レンズ群Ｌ２の間隔は広がり、第２レンズ群Ｌ２と第３レンズ群Ｌ３の間隔は狭まり、第３レンズ群Ｌ３と第４レンズ群Ｌ４の間隔は狭まる。
【００６７】
無限遠物体から最至近距離物体へのフォーカシングに際して第２レンズ群Ｌ２が物体側へ移動する。
【００６８】
第１レンズ群Ｌ１は、最も物体側から像側に順に配置された、負レンズＧ１ｎ、正レンズＧ２ｐ、正レンズＧ２ｎからなる。正レンズＧｆｐは第４レンズ群Ｌ４の物体側から数えて３番目に配置されたレンズであり、正レンズＧｒｐはズームレンズＺＬの最も像側に配置されたレンズである。
【００６９】
これらの構成により、図８の収差図に示すように小型かつ全ズーム範囲で倍率色収差補正ができるズームレンズを得ることができる。
【００７０】
［実施例５］
図９は実施例５のズームレンズＺＬの断面図であり、図１０（Ａ）は広角端において無限遠に合焦しているときのズームレンズＺＬの収差図であり、図１０（Ｂ）は望遠端において無限遠に合焦しているときのズームレンズＺＬの収差図である。
【００７１】
実施例５に係るズームレンズＺＬは、物体側から像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６、正の屈折力の第７レンズ群からなる。開口絞りＳＰは第３レンズ群の最も物体側に配置されている。
【００７２】
具体的には広角端から望遠端へのズーミングに際して、全てのレンズ群が物体側へ移動する。当該ズーミングに際して、第１レンズ群Ｌ１と第２レンズ群Ｌ２の間隔は広がり、第２レンズ群Ｌ２と第３レンズ群Ｌ３の間隔は狭まり、第３レンズ群Ｌ３と第４レンズ群Ｌ４の間隔は広がり、第４レンズ群Ｌ４と第５レンズ群Ｌ５の間隔は狭まり、第５レンズ群Ｌ５と第６レンズ群Ｌ６の間隔は狭まり、第６レンズ群Ｌ６と第５レンズ群Ｌ５の間隔は広がる。
【００７３】
無限遠物体から最至近距離物体へのフォーカシングに際して第６レンズ群Ｌ６が像側へ移動する。像ぶれ補正に際して、第４レンズ群Ｌ４が光軸に垂直方向の成分を含む方向に移動する。
【００７４】
第１レンズ群Ｌ１は、最も物体側から像側に順に配置された、負レンズＧ１ｎ、正レンズＧ２ｐ、正レンズＧ２ｎからなる。正レンズＧｆｐは部分群ＩＳの像側に隣接して配置されたレンズであり、正レンズＧｒｐはズームレンズＺＬの最も像側から２番目に配置されたレンズである。
【００７５】
これらの構成により、図１０の収差図に示すように小型かつ全ズーム範囲で倍率色収差補正ができるズームレンズを得ることができる。
【００７６】
以上、本発明の好ましいズームレンズの実施例について説明したが、本発明のズームレンズこれらの実施例に限定されず、その要旨の範囲内で種々の変形及び変更が可能である。
【００７７】
［数値実施例］
以下に、実施例１〜５のそれぞれに対応する数値実施例１〜５を示す。また、数値実施例１〜６において、面番号は、物体側からの光学面の順序を示す。ｒは光学面の曲率半径（ｍｍ）、ｄは隣り合う光学面の間隔（ｍｍ）、ｎｄはｄ線における光学部材の材料の屈折率、νｄはｄ線を基準とした光学部材の材料のアッベ数を示す。フラウンホーファー線のｇ線（波長４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇ、ＮＦ、Ｎｄ、ＮＣとするとき、アッベ数νｄを、
νｄ＝（Ｎｄ−１）／（ＮＦ−ＮＣ）
として表す。ＢＦはバックフォーカスを示す。
【００７８】
非球面は各数値実施例中の面番号の右側に＊印を付している。非球面形状は光軸方向をＸ軸、光軸と垂直方向をＨ軸、光の進行方向を正、Ｒを近軸曲率半径、Ｋを円錐定数、Ｂ、Ｃ、Ｄ、Ｅ、Ｆをそれぞれ非球面係数とするとき、
【００７９】
【数１】
2019158960.tif 000003
【００８０】
で表している。非球面係数の「ｅ−ｘ」は１０−ｘを意味する。
【００８１】
数値実施例１〜５のそれぞれにおける、条件式（１）〜（１５）に対応する値を［表１］に示す。
【００８２】
［数値実施例１］
単位 mm
面データ
面番号       r        d      nd         vd       有効径
1        234.000    2.10   1.80810    22.8       61.82
2        102.222    5.39   1.65160    58.5       60.07
3       1002.275    0.15                         59.72
4         70.728    5.94   1.65160    58.5       57.39
5        263.788  (可変)                         56.59
6*        53.891    1.50   1.91082    35.3       33.28
7*        17.511    7.24                         25.65
8        -89.151    1.20   1.83481    42.7       24.47
9         18.308    6.18   1.92119    24.0       21.52
10       -113.117    1.99                         20.26
11        -25.280    1.20   1.62041    60.3       19.65
12       -198.845  (可変)                         21.03
13(絞り)    ∞       0.39                         23.05
14         27.080    5.79   1.53775    74.7       25.69
15       -119.898    0.15                         25.74
16         37.308    3.51   1.76802    49.2       25.50
17*       733.132    3.46                         25.01
18        -44.437    1.20   1.91082    35.3       23.93
19         18.367    7.05   1.64766    38.1       23.68
20       -536.395  (可変)                         24.30
21         28.116    5.56   1.59522    67.7       25.91
22       -137.421    0.15                         25.61
23         31.020    1.10   2.00100    29.1       25.90
24         17.460    7.68   1.58313    59.4       24.54
25*      -100.096  (可変)                         24.45
26       -527.022    2.91   2.00100    29.1       24.44
27        -42.249    1.50   1.85400    40.4       24.47
28*        60.010  (可変)                         24.35
29        -18.813    1.40   1.77250    49.6       26.67
30        -47.244    0.15                         30.78
31        124.255    4.40   1.76182    26.5       35.40
32        -93.259  (可変)                         36.00
像面        ∞
非球面データ
第6面
K = 0.00000e+000  A 4=-1.42814e-006  A 6= 4.56859e-008  A 8=-1.41731e-010
A10= 1.88542e-013
第7面
K = 0.00000e+000  A 4=-5.94471e-006  A 6= 4.51548e-008
第17面
K = 0.00000e+000  A 4= 2.00066e-006  A 6=-1.04974e-008  A 8= 1.91606e-012
A10=-6.47401e-014
第25面
K = 0.00000e+000  A 4= 1.87555e-005  A 6= 1.45857e-008  A 8=-8.18426e-011
A10= 5.26187e-013
第28面
K = 0.00000e+000  A 4=-1.34460e-006  A 6=-8.69731e-009  A 8= 6.53417e-011
A10=-2.51887e-013
各種データ
ズーム比      5.30
広角     中間     望遠
焦点距離      24.72    58.45   131.00
Fナンバー      4.12     4.12     4.12
半画角（度）  41.19    20.31     9.38
像高          21.64    21.64    21.64
レンズ全長   137.50   168.99   200.49
BF            13.50    25.49    31.74
d 5            0.70    28.53    53.13
d12           18.75     8.29     2.50
d20            8.43     4.49     1.00
d25            1.80     1.79     1.50
d28           15.03    21.11    31.32
d32           13.50    25.49    31.74
レンズ群データ
群  始面    焦点距離
1    1     124.23
2    6     -16.77
3   13      52.56
4   21      26.43
5   26     -78.97
6   29    -111.09
【００８３】
［数値実施例２］
単位 mm
面データ
面番号       r        d      nd         vd       有効径
1        266.275    1.80   1.80810    22.8       63.00
2         93.368    6.52   1.72916    54.7       61.29
3          ∞       0.15                         60.87
4         49.826    6.97   1.72916    54.7       55.94
5        126.155  (可変)                         54.73
6         65.832    1.25   1.95375    32.3       31.37
7         15.019    8.19                         23.43
8*       -33.476    1.10   1.58313    59.4       22.88
9*        65.137    0.15                         21.96
10         40.325    5.03   1.80810    22.8       21.71
11        -40.325    0.97                         20.83
12        -25.491    1.00   1.80400    46.6       20.55
13        -63.435  (可変)                         20.09
14(絞り)    ∞       0.30                         19.35
15         44.965    2.30   1.91082    35.3       19.94
16          ∞       0.15                         19.93
17         21.533    1.00   1.95375    32.3       19.90
18         13.108    6.76   1.59522    67.7       18.66
19       -795.231    1.37                         18.10
20       -152.936    0.80   1.74951    35.3       17.70
21         16.038    2.88   2.00069    25.5       17.20
22         30.717    3.81                         16.77
23         76.401    0.75   1.78472    25.7       16.79
24         19.110    3.57   1.49700    81.5       16.59
25          ∞       0.15                         16.72
26*        24.461    7.26   1.58313    59.4       18.62
27*       -25.212  (可変)                         19.76
28        121.315    0.75   1.72916    54.7       19.99
29         23.846  (可変)                         19.90
30*       -43.071    1.50   1.76450    49.1       24.17
31*      -248.821  (可変)                         27.13
32        -68.116    4.50   1.80400    46.6       35.10
33        -32.318  (可変)                         36.00
像面        ∞
非球面データ
第8面
K = 0.00000e+000  A 4= 5.17863e-006  A 6=-6.74704e-008  A 8= 5.22888e-010
A10=-4.25942e-012  A12= 1.45835e-014
第9面
K = 0.00000e+000  A 4=-7.77410e-006  A 6=-4.92259e-008
第26面
K = 0.00000e+000  A 4=-2.73692e-005  A 6= 5.32572e-008  A 8=-8.44820e-010
A10= 5.56287e-012
第27面
K = 0.00000e+000  A 4= 1.47893e-005  A 6= 2.32565e-009  A 8=-6.75778e-010
A10= 4.79574e-012
第30面
K = 0.00000e+000  A 4=-8.05959e-005  A 6= 1.99191e-007  A 8=-1.06561e-009
A10=-7.47195e-013  A12= 8.67762e-015
第31面
K = 0.00000e+000  A 4=-7.18829e-005  A 6= 2.81391e-007  A 8=-1.44320e-009
A10= 4.20650e-012  A12=-5.37088e-015
各種データ
ズーム比      4.12
広角     中間     望遠
焦点距離      24.72    50.92   101.84
Fナンバー      4.12     4.12     4.12
半画角（度）  41.19    23.02    11.99
像高          21.64    21.64    21.64
レンズ全長   125.34   142.50   169.34
BF            17.88    19.75    30.96
d 5            0.75    15.82    34.38
d13           21.53     9.07     2.38
d27            1.80     3.37     1.40
d29           11.59    10.02    11.99
d31            0.80    13.48    17.24
d33           17.88    19.75    30.96
レンズ群データ
群  始面    焦点距離
1    1      88.25
2    6     -18.38
3   14      24.16
4   28     -40.84
5   30     -68.35
6   32      72.42
【００８４】
［数値実施例３］
単位 mm
面データ
面番号       r        d      nd         vd       有効径
1        392.310    2.10   1.80810    22.8       68.00
2        127.503    4.67   1.72916    54.7       65.23
3        667.842    0.15                         64.73
4         54.884    7.42   1.72916    54.7       59.43
5        153.255  (可変)                         58.10
6         64.348    1.40   1.83481    42.7       36.58
7         17.048    7.44                         27.32
8       27996.689    1.20   1.59522    67.7       26.70
9         18.868    3.95   1.85478    24.8       23.49
10         39.686    3.55                         22.42
11        -43.850    1.20   1.58313    59.4       21.97
12*      -173.426    0.15                         21.36
13        355.894    5.77   1.59270    35.3       20.90
14        -18.473    1.10   1.88300    40.8       21.75
15        -58.258  (可変)                         23.67
16(絞り)    ∞       0.40                         26.23
17         87.834    3.83   1.76385    48.5       27.24
18        -65.580    0.15                         27.54
19         40.015    7.30   1.59522    67.7       27.85
20        -36.554    1.10   2.00069    25.5       27.36
21       -129.446    2.47                         27.32
22*       -51.044    1.50   1.58313    59.4       26.96
23         43.427    1.99   1.72825    28.5       27.07
24         76.138  (可変)                         27.03
25         27.612    6.78   1.49700    81.5       28.84
26       -136.151    0.15                         28.31
27         41.980    4.39   1.49700    81.5       28.27
28       -214.494    0.15                         27.93
29         44.999    6.97   1.49700    81.5       26.82
30        -32.436    1.50   1.85400    40.4       25.72
31*      3044.402  (可変)                         24.76
32        237.728    0.90   1.95375    32.3       24.75
33         31.850  (可変)                         24.60
34*       -55.904    1.40   1.58313    59.4       29.07
35*      68002.899    0.15                         32.08
36        178.752    5.17   2.00069    25.5       34.33
37        -55.299    1.40   1.88300    40.8       34.95
38       -102.512  (可変)                         36.01
像面        ∞
非球面データ
第12面
K = 0.00000e+000  A 4=-7.73015e-006  A 6=-2.45711e-009  A 8=-1.36991e-010
A10= 8.92197e-013  A12=-3.17289e-015
第22面
K = 0.00000e+000  A 4= 4.13779e-006  A 6= 3.95825e-009  A 8= 1.25042e-011
A10=-1.79610e-013  A12= 3.88483e-016
第31面
K = 0.00000e+000  A 4= 2.42610e-005  A 6= 7.09586e-009  A 8= 3.65492e-011
A10=-1.07614e-013  A12= 9.63094e-016
第34面
K = 0.00000e+000  A 4=-6.77153e-006  A 6=-3.91035e-008  A 8=-1.11068e-011
A10=-1.77528e-013  A12=-1.39223e-016
第35面
K = 0.00000e+000  A 4=-7.20605e-006  A 6=-2.55759e-008
各種データ
ズーム比      2.75
広角     中間     望遠
焦点距離      24.72    45.33    67.89
Fナンバー      2.88     2.88     2.88
半画角（度）  41.19    25.51    17.68
像高          21.64    21.64    21.64
レンズ全長   144.51   160.46   176.40
BF            15.00    26.31    35.56
d 5            0.80    18.69    29.07
d15           15.62     6.31     2.49
d24           13.16     8.12     6.11
d31            1.50     2.09     1.49
d33           10.63    11.14    13.87
d38           15.00    26.31    35.56
レンズ群データ
群  始面    焦点距離
1    1     109.80
2    6     -17.10
3   16      51.53
4   25      27.65
5   32     -38.64
6   34     160.61
【００８５】
［数値実施例４］
単位 mm
面データ
面番号       r        d      nd         vd       有効径
1        983.117    2.20   1.89286    20.4       70.24
2        120.082    6.45   1.80400    46.6       67.51
3      -1883.254    0.15                         66.97
4         56.827    6.08   1.83481    42.7       59.58
5        121.126  (可変)                         58.36
6*       153.722    1.40   1.88300    40.8       36.81
7         21.563    9.01                         28.82
8        -42.882    1.05   1.59522    67.7       27.11
9         30.354    5.08   1.85478    24.8       26.12
10       -541.605    0.52                         26.71
11      -7005.428    5.97   1.67542    34.8       27.07
12        -26.046    1.10   1.88300    40.8       27.69
13        -55.419    2.80                         28.98
14        -25.411    1.20   1.88300    40.8       29.03
15        -45.296  (可変)                         31.31
16(絞り)    ∞       1.90                         33.71
17         43.651    7.10   1.59522    67.7       38.91
18       -305.501    0.15                         39.01
19*       100.151    5.12   1.49700    81.5       39.02
20       -160.893    0.15                         38.66
21        105.624    4.99   1.43875    94.9       37.35
22       -100.145    6.71                         36.67
23        -27.918    1.40   2.00100    29.1       34.73
24        -69.855  (可変)                         36.95
25         68.659    6.55   1.59522    67.7       39.03
26        -98.680    0.20                         39.01
27         52.428    6.17   1.59522    67.7       37.50
28       -184.881    0.20                         37.07
29         41.236   10.99   1.43875    94.9       35.27
30        -34.167    1.40   2.00100    29.1       33.94
31        -52.555    0.20                         33.88
32*        52.119    1.20   1.85400    40.4       30.32
33         24.920   10.17                         28.39
34        -22.082    1.30   1.57135    53.0       28.56
35        175.610    4.94   2.00069    25.5       34.38
36        -63.122  (可変)                         35.25
像面        ∞
非球面データ
第6面
K = 0.00000e+000  A 4= 5.76266e-006  A 6=-3.93663e-009  A 8= 1.18134e-011
A10=-2.44731e-014  A12= 4.06164e-017
第19面
K = 0.00000e+000  A 4=-5.02832e-007  A 6= 4.82186e-009  A 8= 2.64122e-013
A10=-3.67074e-015  A12= 3.42146e-017
第32面
K = 0.00000e+000  A 4=-1.44518e-005  A 6=-2.24546e-008  A 8= 4.65187e-011
A10=-2.35244e-013  A12= 4.61523e-016
各種データ
ズーム比      2.75
広角     中間     望遠
焦点距離      24.70    35.76    67.86
Fナンバー      2.06     2.06     2.06
半画角（度）  41.22    31.18    17.68
像高          21.64    21.64    21.64
レンズ全長   152.24   158.86   179.82
BF            12.93    19.69    30.66
d 5            3.52    13.78    34.37
d15           15.06     8.15     0.21
d24            6.87     3.39     0.73
d36           12.93    19.69    30.66
レンズ群データ
群  始面    焦点距離
1    1     114.57
2    6     -19.45
3   16      57.66
4   25      37.36
【００８６】
［数値実施例５］
単位 mm
面データ
面番号       r        d      nd         vd       有効径
1        232.357    2.10   1.80809    22.8       68.69
2         90.381    5.78   1.77250    49.6       65.95
3        323.713    0.15                         65.38
4         59.139    7.05   1.72916    54.7       60.67
5        166.984  (可変)                         59.46
6         67.802    1.40   1.88300    40.8       38.53
7         18.663    8.67                         29.19
8       -115.164    1.20   1.49700    81.5       28.34
9         21.412    3.87   1.85478    24.8       24.87
10         47.653    4.17                         23.86
11        -48.039    1.00   1.72916    54.7       22.68
12        425.782    0.29                         22.04
13         93.568    6.03   1.59270    35.3       21.73
14        -24.518    1.05   1.83481    42.7       22.50
15        -71.957  (可変)                         23.85
16(絞り)    ∞       0.40                         25.91
17         78.059    4.31   1.76385    48.5       26.86
18        -59.447    0.15                         27.13
19         40.155    7.40   1.49700    81.5       26.92
20        -33.807    1.10   2.00069    25.5       26.27
21       -143.919  (可変)                         26.33
22*       -63.149    1.65   1.58313    59.4       26.06
23         45.825    1.92   1.76182    26.5       26.27
24         84.251  (可変)                         26.24
25         26.393    8.28   1.49700    81.5       27.41
26        -69.360    0.35                         27.25
27         39.335    1.15   1.73800    32.3       26.90
28         26.899    7.03   1.53775    74.7       26.14
29        -73.879    0.15                         25.50
30*      -602.944    1.70   1.85400    40.4       25.28
31*       131.941  (可変)                         24.90
32         60.209    0.90   1.80400    46.6       25.51
33         23.878  (可変)                         25.06
34*       -52.714    1.70   1.58313    59.4       29.85
35*     -3211.285    0.15                         32.97
36        317.277    3.23   2.00100    29.1       35.27
37       -114.700  (可変)                         35.82
像面        ∞
非球面データ
第22面
K = 0.00000e+000  A 4= 3.01280e-006  A 6=-9.03767e-010  A 8= 5.61555e-011  A10=-4.27609e-013  A12= 9.23668e-016
第30面
K = 0.00000e+000  A 4=-5.55314e-005  A 6= 2.14060e-007  A 8=-4.57909e-011  A10=-2.74784e-012  A12= 6.52571e-015
第31面
K = 0.00000e+000  A 4=-3.45440e-005  A 6= 2.65378e-007  A 8=-1.27555e-010  A10=-2.40980e-012  A12= 7.25838e-015
第34面
K = 0.00000e+000  A 4=-3.28022e-005  A 6= 1.26827e-007  A 8=-2.01507e-010  A10=-1.63600e-012  A12= 4.86504e-015
第35面
K = 0.00000e+000  A 4=-3.30256e-005  A 6= 1.44829e-007  A 8=-5.66682e-010  A10= 8.17897e-013  A12=-2.19929e-016
各種データ
ズーム比      2.75
広角     中間     望遠
焦点距離      24.72    44.86    67.89
Fナンバー      2.91     2.91     2.91
半画角（度）  41.19    25.75    17.68
像高          21.64    21.64    21.64
レンズ全長   144.09   158.48   172.87
BF            14.37    26.78    35.69
d 5            0.80    17.98    29.93
d15           16.15     7.07     2.40
d21            2.26     2.23     2.54
d24           11.08     4.97     2.87
d31            2.16     1.42     1.33
d33           12.96    13.70    13.79
d37           14.37    26.78    35.69
レンズ群データ
群  始面    焦点距離
1    1     113.48
2    6     -18.58
3   16      35.84
4   22     -69.07
5   25      28.29
6   32     -49.77
7   34     785.94
【００８７】
【表１】
2019158960.tif 000004
【００８８】
［撮像装置の実施例］
次に、本発明のズームレンズを撮影光学系として用いた撮像装置の実施例について図１１を用いて説明する。撮像装置１０は、例えば、デジタルスチルカメラ、ビデオカメラ、監視カメラ、放送用カメラ等の撮像素子を用いた撮像装置、または銀塩写真フィルムを用いたカメラ等の撮像装置である。
【００８９】
図１１において、撮像装置１０は、実施例１〜５で説明したズームレンズのいずれかである撮影光学系１１と、撮像装置１０に内蔵され且つ撮影光学系１１によって形成された被写体像を受光する撮像素子（光電変換素子）１２とを有する。撮像素子１２は、例えばＣＣＤセンサやＣＭＯＳセンサ等である。
【００９０】
このように本発明のズームレンズを各種撮像装置の撮影光学系に適用することができる。これにより、小型かつ高ズーム比で、全ズーム範囲で高い光学性能を有する撮像装置を得ることができる。
【符号の説明】
【００９１】
Ｌ１  第１レンズ群
Ｌ２  第２レンズ群
Ｌｒ  後群
Ｇ１ｎ  負レンズ
Ｇ１ｐ、Ｇ２ｐ、Ｇｒｐ  正レンズ
ＺＬ  ズームレンズ
【図１】
2019158960.tif 000005
【図２】
2019158960.tif 000006
【図３】
2019158960.tif 000007
【図４】
2019158960.tif 000008
【図５】
2019158960.tif 000009
【図６】
2019158960.tif 000010
【図７】
2019158960.tif 000011
【図８】
2019158960.tif 000012
【図９】
2019158960.tif 000013
【図１０】
2019158960.tif 000014
【図１１】
2019158960.tif 000015
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
複数のレンズ群を有し、ズーミングに際して隣り合うレンズ群の間隔が変化するズームレンズであって、
前記複数のレンズ群は、物体側から像側へ順に配置された、正の屈折力の第１レンズ群、負の屈折力の第２レンズ群、複数のレンズ群を含み全体として正の屈折力の後群からなり、
広角端から望遠端へのズーミングに際して、前記第１レンズ群が物体側へ移動し、
前記第１レンズ群は、最も物体側に配置された負レンズと、該負レンズの像側に配置され該負レンズよりも材料のアッベ数が大きな正レンズを複数有し、
前記後群中の最も像側に配置されたレンズ群は正レンズＧｒｐを有し、
前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔとするとき、
１５．００＜νｄ１ｎ＜２３．４０
１．７０＜ｎｄｒｐ＜２．２０
１．５０＜ｓｋｔ／ｓｋｗ＜２．６０
なる条件式を満たすことを特徴とするズームレンズ。
【請求項２】
前記第１レンズ群に含まれる複数の正レンズの材料のｄ線における屈折率の平均値をｎｄ１ｐとするとき、
１．６０＜ｎｄ１ｐ＜２．００
なる条件式を満たすことを特徴とする請求項１に記載のズームレンズ。
【請求項３】
前記正レンズＧｒｐの材料のアッベ数をνｄｒｐとするとき
０．４０＜νｄ１ｎ／νｄｒｐ＜１．００
なる条件式を満たすことを特徴とする請求項１又は２に記載のズームレンズ。
【請求項４】
前記第２レンズ群の焦点距離をｆ２とするとき、
０．８０＜｜ｆ２｜／ｓｋｗ＜１．８０
なる条件式を満たすことを特徴とする請求項１乃至３のいずれか１項に記載のズームレンズ。
【請求項５】
前記第１レンズ群の焦点距離をｆ１とするとき、
２．３０＜ｆ１／ｓｋｔ＜４．７０
なる条件式を満たすことを特徴とする請求項１乃至４のいずれか１項に記載のズームレンズ。
【請求項６】
前記正レンズＧｒｐの焦点距離をｆｒｐ、望遠端における前記ズームレンズの焦点距離をｆｔとするとき、
０．４０＜ｆｒｐ／ｆｔ＜１．４０
なる条件式を満たすことを特徴とする請求項１乃至５のいずれか１項に記載のズームレンズ。
【請求項７】
望遠端における前記ズームレンズのＦナンバーをＦｎｏｔ、前記第１レンズ群の焦点距離をｆ１、望遠端における前記ズームレンズの焦点距離をｆｔとするとき、
３．００＜（Ｆｎｏｔ×ｆ１）／ｆｔ＜５．５０
なる条件式を満たすことを特徴とする請求項１乃至６のいずれか１項に記載のズームレンズ。
【請求項８】
前記第２レンズ群の焦点距離をｆ２、広角端における前記ズームレンズの焦点距離をｆｗとするとき、
０．５０＜｜ｆ２｜／ｆｗ＜１．００
なる条件式を満たすことを特徴とする請求項１乃至７のいずれか１項に記載のズームレンズ。
【請求項９】
望遠端における前記ズームレンズのレンズ全長をＬｔとするとき、
３．８０＜Ｌｔ／ｓｋｔ＜７．６０
なる条件式を満たすことを特徴とする請求項１乃至８のいずれか１項に記載のズームレンズ。
【請求項１０】
前記正レンズＧｒｐの物体側のレンズ面の曲率半径をＲ１、前記正レンズＧｒｐの像面側のレンズ面の曲率半径をＲ２とするとき、
０．００＜（Ｒ１＋Ｒ２）／（Ｒ１−Ｒ２）＜４．００
なる条件式を満たすことを特徴とする請求項１乃至９のいずれか１項に記載のズームレンズ。
【請求項１１】
前記後群は、前記正レンズＧｒｐよりも物体側に配置された正レンズであって該正レンズの材料のアッベ数をνｆｐとするとき、
７３．００＜νｆｐ＜１００．００
なる条件式を満たす正レンズＧｆｐを有することを特徴とする請求項１乃至１０のいずれか１項に記載のズームレンズ。
【請求項１２】
前記正レンズＧｆｐの焦点距離をｆｆｐとするとき、
１．４０＜ｆｆｐ／ｆｗ＜２．００
なる条件式を満たすことを特徴とする請求項１１に記載のズームレンズ。
【請求項１３】
広角端における前記正レンズＧｒｐの像側のレンズ面から像面までの光軸上の距離をＬｒｐ、広角端における前記ズームレンズのレンズ全長をＬｗとするとき、
０．０５＜Ｌｒｐ／Ｌｗ＜０．２０
なる条件式を満たすことを特徴とする請求項１乃至１２のいずれか１項に記載のズームレンズ。
【請求項１４】
広角端から望遠端へのズーミングに際して、前記第１レンズ群と前記第２レンズ群の間隔は広がることを特徴とする請求項１乃至１３のいずれか１項に記載ズームレンズ。
【請求項１５】
前記後群は、物体側から像側へ順に配置された、正の屈折力の第３レンズ群、正の屈折力の第４レンズ群、負の屈折力の第５レンズ群、負の屈折力の第６レンズ群からなることを特徴とする請求項１乃至１４のいずれか１項に記載のズームレンズ。
【請求項１６】
前記後群は、物体側から像側へ順に配置された、正の屈折力の第３レンズ群、負の屈折力の第４レンズ群、負の屈折力の第５レンズ群、正の屈折力の第６レンズ群からなることを特徴とする請求項１乃至１４のいずれか１項に記載のズームレンズ。
【請求項１７】
前記後群は、物体側から像側へ順に配置された、正の屈折力の第３レンズ群、正の屈折力の第４レンズ群、負の屈折力の第５レンズ群、正の屈折力の第６レンズ群からなることを特徴とする請求項１乃至１４のいずれか１項に記載のズームレンズ。
【請求項１８】
前記後群は、物体側から像側へ順に配置された、正の屈折力の第３レンズ群、正の屈折力の第４レンズ群からなることを特徴とする請求項１乃至１４のいずれか１項に記載のズームレンズ。
【請求項１９】
前記後群は、物体側から像側へ順に配置された、正の屈折力の第３レンズ群、負の屈折力の第４レンズ群、正の屈折力の第５レンズ群、負の屈折力の第６レンズ群、正の屈折力の第７レンズ群からなることを特徴とする請求項１乃至１４のいずれか１項に記載のズームレンズ。
【請求項２０】
請求項１乃至１９のいずれか１項に記載のズームレンズと、該ズームレンズによって形成された像を受光する撮像素子を有することを特徴とする撮像装置。
【手続補正２】
【補正対象書類名】明細書
【補正対象項目名】全文
【補正方法】変更
【補正の内容】
【発明の詳細な説明】
【技術分野】
【０００１】
本発明は、ズームレンズ及び撮像装置に関する。
【背景技術】
【０００２】
撮像装置等に用いられるズームレンズには、小型かつ全ズーム範囲で諸収差が良好に補正可能であることが望まれている。
【０００３】
特許文献１には、物体側から像側へ順に配置された、正の屈折力の第１レンズ群、負の屈折力の第２レンズ群、正の屈折力の第３レンズ群、正の屈折力の第４レンズ群からなるズームレンズであって、比較的バックフォーカスが長いズームレンズが記載されている。このズームレンズは、広角端において第４レンズ群に起因して生じる倍率色収差を第４レンズ群中の正レンズの材料を低屈折率材料とすることにより補正し、望遠端において第１レンズ群に起因して生じる倍率色収差を第１レンズ群中の負レンズの材料を適切に選択することにより補正している。
【先行技術文献】
【特許文献】
【０００４】
【特許文献１】特開２０１３−４４７９５号公報
【発明の概要】
【発明が解決しようとする課題】
【０００５】
特許文献１に記載のズームレンズをさらに小型化する場合は、バックフォーカスの短縮化やズームレンズの外径の小型化のために第１レンズ群の屈折力を強める必要がある。第１レンズ群の屈折力は、第１レンズ群中の負レンズの材料をよりアッベ数の小さな材料で構成することにより強めることができる。しかし、特許文献１に記載のズームレンズにおいて単に第１レンズ群の負レンズの材料のアッベ数のみを変更してしまうと、望遠端において倍率色収差を補正することが困難になる。
【０００６】
本発明は上記課題に鑑みてなされたものであり、小型かつ全ズーム範囲で倍率色収差が良好に補正可能なズームレンズ及び撮像装置を得ることを目的とする。
【課題を解決するための手段】
【０００７】
本発明の一実施例に係るズームレンズは、複数のレンズ群を有し、ズーミングに際して隣り合うレンズ群の間隔が変化するズームレンズであって、前記複数のレンズ群は、物体側から像側へ順に配置された、正の屈折力の第１レンズ群、負の屈折力の第２レンズ群、複数のレンズ群を含み全体として正の屈折力の後群からなり、広角端から望遠端へのズーミングに際して、前記第１レンズ群が物体側へ移動し、前記第１レンズ群は、最も物体側に配置された負レンズと、該負レンズの像側に配置され該負レンズよりも材料のアッベ数が大きな正レンズを複数有し、前記後群中の最も像側に配置されたレンズ群は正レンズＧｒｐを有し、前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔとするとき、
１５．００＜νｄ１ｎ＜２３．４０
１．７０＜ｎｄｒｐ＜２．２０
１．５０＜ｓｋｔ／ｓｋｗ＜２．６０
なる条件式を満たすことを特徴とする。
【発明の効果】
【０００８】
本発明によれば、小型かつ全ズーム範囲で倍率色収差を良好に補正可能なズームレンズ及び撮像装置を得ることができる。
【図面の簡単な説明】
【０００９】
【図１】実施例１のズームレンズの断面図である。
【図２】実施例１のズームレンズの収差図である。
【図３】実施例２のズームレンズの断面図である。
【図４】実施例２のズームレンズの収差図である。
【図５】実施例３のズームレンズの断面図である。
【図６】実施例３のズームレンズの収差図である。
【図７】実施例４のズームレンズの断面図である。
【図８】実施例４のズームレンズの収差図である。
【図９】実施例５のズームレンズの断面図である。
【図１０】実施例５のズームレンズの収差図である。
【図１１】撮像装置の構成を示す図である。
【発明を実施するための形態】
【００１０】
以下、本発明の実施例に係るズームレンズ及び撮像装置について、添付の図面に基づいて詳細に説明する。
【００１１】
［光学系の実施例］
各実施例のズームレンズは、デジタルビデオカメラ、デジタルカメラ、銀塩フィルムカメラ、テレビカメラ等の撮像装置に用いられる撮影光学系である。図１、３、５、７、９に示すズームレンズの断面図において、左方が物体側（前方）であり、右方が像側（後方）である。また各断面図において、ｉを物体側から像側へのレンズ群の順番とすると、Ｌｉは第ｉレンズ群を示す。また、開口絞りＳＰは、開放Ｆナンバー（Ｆｎｏ）の光束を決定（制限）する。
【００１２】
無限遠物体から最至近距離物体へのフォーカシングに際して、フォーカスレンズ群は、図中の破線矢印に示すように移動する。広角端から望遠端へのズーミングに際して、各レンズ群は、図中の実線矢印に示すように移動し、隣り合うレンズ群の間隔が変化する。
【００１３】
デジタルビデオカメラやデジタルカメラなどに各実施例のズームレンズを使用する場合は、像面ＩＰは、ＣＣＤセンサまたはＣＭＯＳセンサ等の撮像素子（光電変換素子）に相当する。銀塩フィルムカメラに各実施例の光学系を使用する場合は、像面ＩＰはフィルム面に相当する。
【００１４】
図２、４、６、８、１０は、各実施例の光学系の収差図である。球面収差図においてＦｎｏはＦナンバーである。球面収差図において実線はｄ線（波長５８７．６ｎｍ）、二点鎖線はｇ線（波長４３５．８ｎｍ）である。非点収差図において破線Ｍはメリディオナル像面、実線Ｓはサジタル像面である。歪曲収差はｄ線について示している。倍率色収差はｇ線について示している。ωは半画角（度）、ＦｎｏはＦナンバーである。
【００１５】
本明細書において、「レンズ群」は、複数のレンズから構成されていてもよいし、１枚のレンズから構成されていてもよい。「広角端」はズームレンズの焦点距離が最も短くなるズーム位置を意味し、「望遠端」はズームレンズの焦点距離が最も長くなるズーム位置を意味する。「バックフォーカス」は、ズームレンズの最終面から近軸像面までの距離を空気換算長により表記したものである。「レンズ全長」は、ズームレンズの最前面から最終面までの光軸上の距離にバックフォーカスを加えたものである。ある材料のアッベ数νｄは、ｇ線（波長４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇ、ＮＦ、Ｎｄ、ＮＣとするとき、νｄ＝（Ｎｄ−１）／（ＮＦ−ＮＣ）として表す。
【００１６】
本発明の実施例に係るズームレンズは、複数のレンズ群を含み、ズーミングに際して隣合うレンズ群の間隔が変化する。複数のレンズ群は、具体的には、物体側から像側へ順に配置された、正の屈折力の第１レンズ群と、負の屈折力の第２レンズ群と、複数のレンズ群を含み全体として正の屈折力の後群からなる。広角端から望遠端へのズーミングに際して、第１レンズ群が物体側へ移動する。さらに、第１レンズ群は、最も物体側に配置された負レンズ（以下、負レンズＧ１ｎという）と、負レンズＧ１ｎの像側に配置されかつ負レンズＧ１ｎよりもアッベ数の大きな正レンズを複数有し、後群は少なくとも１つの正レンズを有する。後群中の最も像側に配置されたレンズ群は正レンズＧｒｐを含む。さらに、以下の条件式（１）〜（３）を満たす。
１５．００＜νｄ１ｎ＜２３．４０          ・・・・・・（１）
１．７０＜ｎｄｒｐ＜２．２０              ・・・・・・（２）
１．５０＜ｓｋｔ／ｓｋｗ＜２．６０        ・・・・・・（３）
【００１７】
ただし、第１レンズ群の最も物体側に配置された負レンズＧ１ｎの材料のアッベ数をνｄ１ｎとする。正レンズＧｒｐの材料のｄ線における屈折率をｎｄｒｐとする。広角端におけるズームレンズのバックフォーカスをｓｋｗ、望遠端におけるズームレンズのバックフォーカスをｓｋｔとする。
【００１８】
ズームレンズは、第１レンズ群を負レンズＧ１ｎと複数の正レンズにより構成することによって、第１レンズ群の屈折力を強くしている。これにより、入射側で光束を十分に収斂させ、ズームレンズの外径を小さくすることができる。さらに、広角端におけるレンズ全長を短縮できる。
【００１９】
広角端から望遠端へのズーミングに際して、第１レンズ群が物体側に移動することにより、広角端に比べて望遠端における第１レンズ群と第２レンズ群との間隔が大きくなるようにしている。これにより、軸上光束の光束径が大きくなる望遠端において、第１レンズ群から射出した軸上光束が収斂する距離を比較的長く確保し、後群を小型化することができる。
【００２０】
条件式（１）〜（３）は、ズームレンズの小型化と全ズーム範囲において倍率色収差を良好に補正するための条件を示している。負レンズＧ１ｎのアッベ数を小さめにして第１レンズ群の屈折力を強めることでズームレンズの小型化を図っている。望遠端において第１レンズ群に起因して生じる倍率色収差を第１レンズ群のレンズを用いて補正することは困難となるが、広角端と望遠端におけるバックフォーカスの差を比較的大きくとることにより、広角端において最も像側のレンズ群を通る軸上光束の周辺光線の高さを低くし、広角端における倍率色収差を低減している。そして、後群中の最も像側のレンズ群に高屈折率材料からなる正レンズＧｒｐを配置することにより、広角端における倍率色収差だけでなく望遠端において生じる倍率色収差も補正可能にしている。
【００２１】
以下、条件式（１）〜（３）のそれぞれについて説明する。
【００２２】
条件式（１）は負レンズＧ１ｎのアッベ数に関し、条件式（１）を満たすことによりズームレンズの小型化と高性能化を両立できる。条件式（１）の下限値を下回って、アッベ数が小さくなると、負レンズＧ１ｎの材料が高分散材料となって、望遠端において倍率色収差の補正が困難となるため好ましくない。条件式（１）の上限値を上回って、アッベ数が大きくなると、第１レンズ群の正レンズの材料と負レンズＧ１ｎの材料のアッベ数が近くなり、望遠端における軸上色収差の補正が困難となるため好ましくない。また、負レンズＧ１ｎの材料のアッベ数が大きくなることで、第１レンズ群の各レンズの屈折力が強くなるため、望遠端での球面収差の補正が困難となるため好ましくない。さらに、負レンズＧ１ｎの材料のアッベ数が大きくなることで、第１レンズ群の各レンズが光軸方向に厚くなって特に広角端におけるレンズ全長の短縮が困難となるため好ましくない。
【００２３】
条件式（２）は、正レンズＧｒｐの屈折率ｎｄｒｐに関し、条件式（２）を満たすことにより、全ズーム範囲で諸収差の変動が少なく、かつ画面全体にわたり高い光学性能を得ることができる。条件式（２）の下限値を下回って正レンズＧｒｐの材料の屈折率が小さくなると、選択可能な正レンズＧｒｐの材料は低分散かつ異常分散性が大きすぎる材料となり、望遠端において第１レンズ群で発生する倍率色収差を打ち消すことが困難となるため好ましくない。さらに、正レンズＧｒｐの材料の屈折率が小さくなることにより、ペッツバール和の負の成分の補正が困難となり、全ズーム範囲で像面湾曲がオーバーとなるため好ましくない。条件式（２）の上限値を上回って正レンズＧｒｐの材料の屈折率が大きくなると、選択可能な正レンズＧｒｐの材料は高分散かつ異常分散性が大きすぎる材料となり、望遠端において第１レンズ群で発生する倍率色収差を補正することが困難となるため好ましくない。
【００２４】
条件式（３）は広角端におけるバックフォーカスｓｋｗと望遠端におけるバックフォーカスｓｋｔの比に関し、条件式（３）を満たすことにより、全ズーム範囲において、倍率色収差を良好に補正することが可能となる。条件式（３）の下限値を下回ると、広角端における正レンズＧｒｐの位置と望遠端における正レンズＧｒｐの位置の変化量が小さくなる。すなわち、広角端において正レンズＧｒｐを通過する軸上光束の周辺光線の高さと、望遠端において正レンズＧｒｐを通過する軸上光束の周辺光線の高さの差が小さくなる。よって望遠端においても広角端においても倍率色収差が生じてしまい、全ズーム範囲にわたって倍率色収差を十分に補正することが困難となるため好ましくない。条件式（３）の上限値を上回って、望遠端におけるバックフォーカスが長くなると、望遠端においてレンズ全長が長くなり、ズームレンズの小型化が困難になるため好ましくない。
【００２５】
以上説明した構成及び条件式を満たすことにより、小型かつ全ズーム範囲で倍率色収差の補正ができるズームレンズを得ることができる。
【００２６】
なお、好ましくは条件式（１）〜（３）の数値範囲を次のように設定するとよい。
１７．００＜νｄ１ｎ＜２３．２０            ・・・・・・（１ａ）
１．７３＜ｎｄｒｐ＜２．１５                ・・・・・・（２ａ）
１．６０＜ｓｋｔ／ｓｋｗ＜２．５５          ・・・・・・（３ａ）
【００２７】
さらに好ましくは、条件式（１）〜（３）の数値範囲を次のように設定するとよい。
１９．００＜νｄ１ｎ＜２２．９０            ・・・・・・（１ｂ）
１．７５＜ｎｄｒｐ＜２．１０                ・・・・・・（２ｂ）
１．７０＜ｓｋｔ／ｓｋｗ＜２．５０          ・・・・・・（３ｂ）
【００２８】
さらに、実施例に係るズームレンズは、以下の条件式（４）〜（１４）のうち１つ以上を満たすことが好ましい。
１．６０＜ｎｄ１ｐ＜２．００                ・・・・・・（４）
０．４０＜νｄ１ｎ／νｄｒｐ＜１．００      ・・・・・・（５）
０．８０＜｜ｆ２｜／ｓｋｗ＜１．８０        ・・・・・・（６）
２．３０＜ｆ１／ｓｋｔ＜４．７０            ・・・・・・（７）
０．４０＜ｆｒｐ／ｆｔ＜１．４０            ・・・・・・（８）
３．００＜（Ｆｎｏｔ×ｆ１）／ｆｔ＜５．５０    ・・・・（９）
０．５０＜｜ｆ２｜／ｆｗ＜１．００          ・・・・・・（１０）
３．８０＜Ｌｔ／ｓｋｔ＜７．６０            ・・・・・・（１１）
０．００＜（Ｒ１＋Ｒ２）／（Ｒ１−Ｒ２）＜４．００・・・（１２）
７３．００＜νｆｐ＜１００．００            ・・・・・・（１３）
１．４０＜ｆｆｐ／ｆｗ＜２．００            ・・・・・・（１４）
０．０５＜Ｌｒｐ／Ｌｗ＜０．２０            ・・・・・・（１５）
【００２９】
ただし、第１レンズ群中の複数の正レンズの材料のｄ線における屈折率の平均値をｎｄ１ｐとする。正レンズＧｒｐの材料のアッベ数をνｄｒｐとする。第１レンズ群の焦点距離をｆ１、第２レンズ群の焦点距離をｆ２、正レンズＧｒｐの焦点距離をｆｒｐ、望遠端におけるズームレンズの焦点距離をｆｔ、広角端における前記ズームレンズの焦点距離をｆｗとする。望遠端におけるズームレンズのＦナンバーをＦｎｏｔとする。望遠端におけるズームレンズのレンズ全長をＬｔとする。正レンズＧｒｐの物体側のレンズ面の曲率半径をＲ１、像面側のレンズ面の曲率半径をＲ２とする。正レンズＧｒｐよりも物体側に配置された正レンズＧｆｐのアッベ数をνｆｐとし、正レンズＧｆｐの焦点距離をｆｆｐとする。広角端における正レンズＧｒｐの像側のレンズ面から像面までの光軸上の距離をＬｒｐ、広角端における前記ズームレンズのレンズ全長をＬｗとする。なお、正レンズＧｒｐの像側のレンズ面から像面までの光軸上の距離とは、正レンズＧｒｐの像側のレンズ面からズームレンズの最も像側のレンズ面までの光軸上の距離に、広角端におけるズームレンズのバックフォーカスを足した距離である。
【００３０】
条件式（４）は第１レンズ群中の正レンズの材料の屈折率の平均値に関する。条件式（４）の下限値を下回って第１レンズ群中の正レンズの材料の屈折率の平均値ｎｄ１ｐが小さくなると、負レンズＧ１ｎを通過する軸外光束の主光線の高さが高くなり、負レンズＧ１ｎが径方向に大きくなる。これにより、ズームレンズの小型化が困難になるので好ましくない。さらに、第１レンズ群中の正レンズの材料の屈折率の平均値ｎｄ１ｐが小さくなることによって、第１レンズ群の屈折力が小さくなると、レンズ全長の短縮が困難となるため好ましくない。条件式（４）の上限値を上回って第１レンズ群中の正レンズの材料の屈折率の平均値ｎｄ１ｐが大きくなると、選択可能な正レンズの材料は高分散材料となる。そのため、望遠端において、第１レンズ群で発生する軸上色収差及び倍率色収差の補正が困難となるため好ましくない。
【００３１】
条件式（５）は、負レンズＧ１ｎと正レンズＧｒｐのそれぞれの材料のアッベ数の比に関する。条件式（５）の下限値を下回って正レンズＧｒｐのアッベ数が大きくなると、選択可能な正レンズＧｒｐの材料は異常分散性が大きすぎる材料となる。そのため、望遠端において、第１レンズ群で発生する軸上色収差及び倍率色収差の補正が困難となるため好ましくない。さらに、条件式（５）の下限値を下回って正レンズＧｒｐのアッベ数が大きくなると、選択可能な正レンズＧｒｐの材料の屈折率は低くなり、ペッツバール和の負の成分を補正しづらくなり、全ズーム範囲で像面湾曲がオーバーとなりやすくなるため好ましくない。条件式（５）の上限値を上回って正レンズＧｒｐのアッベ数が小さくなると、選択可能な正レンズＧｒｐの材料は異常分散性が大きすぎる材料となる。そのため、望遠端において、第１レンズ群で発生する軸上色収差及び倍率色収差の補正が困難となるため好ましくない。
【００３２】
条件式（６）は第２レンズ群の焦点距離と広角端におけるバックフォーカスの比に関する。条件式（６）の下限値を下回って第２レンズ群の焦点距離が短くなり（焦点距離の絶対値が小さくなり）、負の屈折力が強くなると、ズーミングに伴う球面収差及び倍率色収差の変動が大きくなるため好ましくない。条件式（６）の上限値を上回って第２レンズ群の焦点距離が長くなり（焦点距離の絶対値が大きくなり）、第２レンズ群の負の屈折力が弱くなると、ズームレンズをレトロフォーカスタイプの屈折力配置とするのが難しくなる。これにより、広角端において撮像画角を広くすることが困難となるため好ましくない。
【００３３】
条件式（７）は、第１レンズ群の焦点距離と望遠端におけるバックフォーカスの比に関する。条件式（７）の下限値を下回って第１レンズ群の焦点距離が短くなり、第１レンズ群の屈折力が強くなると、望遠端において球面収差の補正が困難となるため好ましくない。条件式（７）の上限値を上回って第１レンズ群の焦点距離が長くなり、第１レンズ群の正の屈折力が弱くなると、ズーミングに際して第１レンズ群の移動量が大きくなる。これにより、望遠端においてズームレンズのレンズ全長が長くなるので好ましくない。さらに、第１レンズ群の正の屈折力が弱いことにより、負レンズＧ１ｎを通過する軸外光束の主光線の高さが高くなり、負レンズＧ１ｎが径方向に大きくなる。これにより、ズームレンズの小型化が困難になるので好ましくない。
【００３４】
条件式（８）は、正レンズＧｒｐの焦点距離と望遠端におけるズームレンズの焦点距離の比に関する。条件式（８）の下限値を下回って正レンズＧｒｐの焦点距離が短くなり、正レンズＧｒｐの屈折力が強くなると、広角端において像面湾曲及び歪曲収差の補正が困難となるため好ましくない。条件式（８）の上限値を上回って正レンズＧｒｐの焦点距離が長くなり、正レンズＧｒｐの屈折力が弱くなると、望遠端において倍率色収差の補正が困難となるため好ましくない。
【００３５】
条件式（９）は、Ｆナンバーと第１レンズ群の焦点距離を乗算した値と、望遠端におけるズームレンズの焦点距離の比に関する。条件式（９）を満たすことにより、Ｆナンバーが比較的小さく、レンズ全長が短く、かつ全ズーム範囲において球面収差を低減したズームレンズを得ることができる。条件式（９）の下限値を下回って第１レンズ群の焦点距離が短くなり、第１レンズ群の屈折力が強くなると、望遠端において球面収差の補正が困難となるため好ましくない。条件式（９）の上限値を上回って第１レンズ群の焦点距離が長くなり、第１レンズ群の正の屈折力が弱くなると、ズーミングに際して第１レンズ群の移動量が大きくなる。これにより、望遠端においてズームレンズのレンズ全長が長くなるので好ましくない。さらに、第１レンズ群の正の屈折力が弱いことにより、負レンズＧ１ｎを通過する軸外光束の主光線の高さが高くなり、負レンズＧ１ｎが径方向に大きくなる。これにより、ズームレンズの小型化が困難になるので好ましくない。
【００３６】
条件式（１０）は第２レンズ群の焦点距離と広角端における広角端におけるズームレンズの焦点距離の比に関する。条件式（１０）の下限値を下回って第２レンズ群の焦点距離が短くなり（焦点距離の絶対値が小さくなり）、第２レンズ群の負の屈折力が強くなると、ズーミングに伴う球面収差及び倍率色収差の変動を小さくすることが困難となるため好ましくない。条件式（１０）の上限値を上回って第２レンズ群の焦点距離が長くなり（焦点距離の絶対値が大きくなり）、第２レンズ群の負の屈折力が弱くなると、ズームレンズをレトロフォーカスタイプの屈折力配置とするのが難しくなる。これにより、広角端において撮像画角を広くすることが困難となるため好ましくない。
【００３７】
条件式（１１）は望遠端におけるレンズ全長と望遠端におけるバックフォーカスの比に関する。条件式（１１）の下限値を下回って、望遠端におけるバックフォーカスが長くなると、望遠端においてレンズ全長が長くなり、ズームレンズが大型化するため好ましくない。条件式（１１）の上限値を上回って、望遠端におけるバックフォーカスが短くなると、望遠端において正レンズＧｒｐを通過する軸上光束の周辺光線の高さが条件式（１１）を満たす場合に比べて低くなる。これにより、望遠端において倍率色収差の補正が困難となるため好ましくない。
【００３８】
条件式（１２）は正レンズＧｒｐのシェイプファクターに関する。条件式（１２）の下限を下回って、正レンズＧｒｐの物体側のレンズ面の曲率半径が、像側のレンズ面の曲率半径より小さくなると、広角端において像面湾曲の補正が困難となるため好ましくない。条件式（１２）の上限値を上回って、像側のレンズ面の曲率半径が小さくなると、望遠端において球面収差の補正が困難となるため好ましくない。
【００３９】
条件式（１３）は後群中の正レンズＧｆｐのアッベ数に関し、条件式（１３）を満足することで、望遠端において軸上色収差を良好に補正し、かつ広角端において倍率色収差を良好に補正することができる。条件式（１３）の下限値を下回って正レンズＧｆｐのアッベ数が小さくなると、望遠端において軸上色収差の補正が困難になり、広角端においては倍率色収差の補正が困難となるため好ましくない。条件式（１３）の上限値を上回って正レンズＧｆｐのアッベ数が大きくなると、望遠端における軸上色収差の補正が過剰となり、それにより、望遠端において軸上色収差が大きくなるため好ましくない。条件式（１４）は正レンズＧｆｐの焦点距離に関する。条件式（１４）の下限値を下回って正レンズＧｆｐの焦点距離が短くなり、正レンズＧｆｐの屈折力が強くなると、望遠端において球面収差の補正が困難となるため好ましくない。条件式（１４）の上限値を上回って正レンズＧｆｐの焦点距離が長くなり、正レンズＧｆｐの屈折力が弱くなると、望遠端における軸上色収差の補正、及び広角端での倍率色収差の補正が困難となるため好ましくない。
【００４０】
条件式（１５）は、広角端において、軸上光束の周辺光線の高さが低くなる像面近傍に正レンズＧｒｐが配置されることを示している。条件式（１５）の下限値を下回って正レンズＧｒｐの位置が像面に近くなると、正レンズＧｒｐが径方向に大型化するため好ましくない。条件式（１５）の上限値を上回って正レンズＧｒｐの位置が像面から離れると、正レンズＧｒｐを通過する軸上光束の周辺光線の高さが高くなり、広角端における倍率色収差の補正が困難になるため好ましくない。
【００４１】
なお、条件式（１５）を満たす正レンズが複数ある場合は、正レンズＧｒｐは最も大きな屈折率の材料からなる正レンズである。
【００４２】
なお、好ましくは条件式（４）〜（１５）の数値範囲を次のように設定するとよい。
１．６２＜ｎｄ１ｐ＜１．９０                ・・・・・・（４ａ）
０．４３＜νｄ１ｎ／νｄｒｐ＜０．９８      ・・・・・・（５ａ）
０．９０＜｜ｆ２｜／ｓｋｗ＜１．７０        ・・・・・・（６ａ）
２．５０＜ｆ１／ｓｋｔ＜４．５０            ・・・・・・（７ａ）
０．４５＜ｆｒｐ／ｆｔ＜１．３０            ・・・・・・（８ａ）
３．２０＜（Ｆｎｏｔ×ｆ１）／ｆｔ＜５．２０      ・・・（９ａ）
０．６０＜｜ｆ２｜／ｆｗ＜０．９０          ・・・・・・（１０ａ）
４．２０＜Ｌｔ／ｓｋｔ＜７．１０                ・・・・（１１ａ）
０．０５＜（Ｒ１＋Ｒ２）／（Ｒ１−Ｒ２）＜３．５０・・・（１２ａ）
７３．５０＜νｆｐ＜９８．００              ・・・・・・（１３ａ）
１．４５＜ｆｆｐ／ｆｗ＜１．９０            ・・・・・・（１４ａ）
０．０６＜Ｌｒｐ／Ｌｗ＜０．１７            ・・・・・・（１５ａ）
【００４３】
さらに好ましくは、条件式（４）〜（１５）の数値範囲を次のように設定するとよい。
１．６３＜ｎｄ１ｐ＜１．８５                ・・・・・・（４ｂ）
０．４５＜νｄ１ｎ／νｄｒｐ＜０．９５      ・・・・・・（５ｂ）
１．００＜｜ｆ２｜／ｓｋｗ＜１．６０        ・・・・・・（６ｂ）
２．６０＜ｆ１／ｓｋｔ＜４．２０            ・・・・・・（７ｂ）
０．５０＜ｆｒｐ／ｆｔ＜１．２５            ・・・・・・（８ｂ）
３．３０＜（Ｆｎｏｔ×ｆ１）／ｆｔ＜５．００      ・・・（９ｂ）
０．６５＜｜ｆ２｜／ｆｗ＜０．８５          ・・・・・・（１０ｂ）
４．５０＜Ｌｔ／ｓｋｔ＜６．８０            ・・・・・・（１１ｂ）
０．１０＜（Ｒ１＋Ｒ２）／（Ｒ１−Ｒ２）＜３．０  ・・・（１２ｂ）
７４．００＜νｆｐ＜９６．００              ・・・・・・（１３ｂ）
１．５０＜ｆｆｐ／ｆｗ＜１．８５            ・・・・・・（１４ｂ）
０．０７＜Ｌｒｐ／Ｌｗ＜０．１５            ・・・・・・（１５ｂ）
【００４４】
上記条件式の少なくとも１つを満たすことで、ズームレンズの小型化でき、かつ全ズーム範囲で倍率色収差を良好に補正することができる。
【００４５】
以下、本発明の実施例に係るズームレンズについて説明する。
【００４６】
［実施例１］
図１は実施例１のズームレンズＺＬの断面図であり、図２（Ａ）は広角端において無限遠に合焦しているときのズームレンズＺＬの収差図であり、図２（Ｂ）は望遠端において無限遠に合焦しているときのズームレンズＺＬの収差図である。
【００４７】
実施例１に係るズームレンズＺＬは、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、負の屈折力の第６レンズ群Ｌ６からなる。開口絞りＳＰは第３レンズ群の最も物体側に配置されている。
【００４８】
具体的には、広角端から望遠端へのズーミングに際して、全てのレンズ群が物体側へ移動する。当該ズーミングに際して、第１レンズ群Ｌ１と第２レンズ群Ｌ２の間隔は広がり、第２レンズ群Ｌ２と第３レンズ群Ｌ３の間隔は狭まり、第３レンズ群Ｌ３と第４レンズ群Ｌ４の間隔は狭まり、第４レンズ群Ｌ４と第５レンズ群Ｌ５の間隔は広がり、第５レンズ群Ｌ５と第６レンズ群Ｌ６の間隔は広がる。
【００４９】
無限遠物体から最至近距離物体へのフォーカシングに際して第５レンズ群Ｌ５が像側へ移動する。像ぶれ補正に際して、第４レンズ群Ｌ４が光軸に垂直方向の成分を含む方向に移動する。
【００５０】
第１レンズ群Ｌ１は、最も物体側から像側に順に配置された、負レンズＧ１ｎ、正レンズＧ２ｐ、正レンズＧ３ｐからなる。正レンズＧｆｐは絞りの像側に隣接して配置されたレンズであり、正レンズＧｒｐはズームレンズＺＬの最も像側に配置されたレンズである。
【００５１】
これらの構成により、図２の収差図に示すように小型かつ全ズーム範囲で倍率色収差補正ができるズームレンズを得ることができる。
【００５２】
［実施例２］
図３は実施例２のズームレンズＺＬの断面図であり、図４（Ａ）は広角端において無限遠に合焦しているときのズームレンズＺＬの収差図であり、図４（Ｂ）は望遠端において無限遠に合焦しているときのズームレンズＺＬの収差図である。
【００５３】
実施例２に係るズームレンズＺＬは、物体側から像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、負の屈折力の第５レンズ群Ｌ５、正の屈折力の第６レンズ群Ｌ６からなる。開口絞りＳＰは第３レンズ群の最も物体側に配置されている。
【００５４】
具体的には、広角端から望遠端へのズーミングに際して、全てのレンズ群が物体側へ移動する。当該ズーミングに際して、第１レンズ群Ｌ１と第２レンズ群Ｌ２の間隔は広がり、第２レンズ群Ｌ２と第３レンズ群Ｌ３の間隔は狭まり、第３レンズ群Ｌ３と第４レンズ群Ｌ４の間隔は広がり、第４レンズ群Ｌ４と第５レンズ群Ｌ５の間隔は狭まり、第５レンズ群Ｌ５と第６レンズ群Ｌ６の間隔は広がる。
【００５５】
無限遠物体から最至近距離物体へのフォーカシングに際して第４レンズ群Ｌ４が像側へ移動する。像ぶれ補正に際して、第３レンズ群Ｌ３の部分群ＩＳが光軸に垂直方向の成分を含む方向に移動する。
【００５６】
第１レンズ群Ｌ１は、最も物体側から像側に順に配置された、負レンズＧ１ｎ、正レンズＧ２ｐ、正レンズＧ３ｐからなる。正レンズＧｆｐは部分群ＩＳの像側に隣接して配置されたレンズであり、正レンズＧｒｐはズームレンズＺＬの最も像側に配置されたレンズである。
【００５７】
これらの構成により、図４の収差図に示すように小型かつ全ズーム範囲で倍率色収差補正ができるズームレンズを得ることができる。
【００５８】
［実施例３］
図５は実施例３のズームレンズＺＬの断面図であり、図６（Ａ）は広角端において無限遠に合焦しているときのズームレンズＺＬの収差図であり、図６（Ｂ）は望遠端において無限遠に合焦しているときのズームレンズＺＬの収差図である。
【００５９】
実施例３に係るズームレンズＺＬは、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、正の屈折力の第６レンズ群Ｌ６からなる。開口絞りＳＰは第３レンズ群の最も物体側に配置されている。
【００６０】
具体的には広角端から望遠端へのズーミングに際して、全てのレンズ群が物体側へ移動する。当該ズーミングに際して、第１レンズ群Ｌ１と第２レンズ群Ｌ２の間隔は広がり、第２レンズ群Ｌ２と第３レンズ群Ｌ３の間隔は狭まり、第３レンズ群Ｌ３と第４レンズ群Ｌ４の間隔は狭まり、第４レンズ群Ｌ４と第５レンズ群Ｌ５の間隔は狭まり、第５レンズ群Ｌ５と第６レンズ群Ｌ６の間隔は広がる。
【００６１】
無限遠物体から最至近距離物体へのフォーカシングに際して第５レンズ群Ｌ５が像側へ移動する。像ぶれ補正に際して、第３レンズ群Ｌ３の部分群ＩＳが光軸に垂直方向の成分を含む方向に移動する。
【００６２】
第１レンズ群Ｌ１は、最も物体側から像側に順に配置された、負レンズＧ１ｎ、正レンズＧ２ｐ、正レンズＧ３ｐからなる。正レンズＧｆｐは部分群ＩＳの像側に隣接して配置されたレンズであり、正レンズＧｒｐはズームレンズＺＬの最も像側から２番目に配置されたレンズである。
【００６３】
これらの構成により、図６の収差図に示すように小型かつ全ズーム範囲で倍率色収差補正ができるズームレンズを得ることができる。
【００６４】
［実施例４］
図７は実施例４のズームレンズＺＬの断面図であり、図８（Ａ）は広角端において無限遠に合焦しているときのズームレンズＺＬの収差図であり、図８（Ｂ）は望遠端において無限遠に合焦しているときのズームレンズＺＬの収差図である。
【００６５】
実施例４に係るズームレンズＺＬは、物体側から像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４からなる。開口絞りＳＰは第３レンズ群の最も物体側に配置されている。
【００６６】
具体的には広角端から望遠端へのズーミングに際して、全てのレンズ群が物体側へ移動する。当該ズーミングに際して、第１レンズ群Ｌ１と第２レンズ群Ｌ２の間隔は広がり、第２レンズ群Ｌ２と第３レンズ群Ｌ３の間隔は狭まり、第３レンズ群Ｌ３と第４レンズ群Ｌ４の間隔は狭まる。
【００６７】
無限遠物体から最至近距離物体へのフォーカシングに際して第２レンズ群Ｌ２が物体側へ移動する。
【００６８】
第１レンズ群Ｌ１は、最も物体側から像側に順に配置された、負レンズＧ１ｎ、正レンズＧ２ｐ、正レンズＧ３ｐからなる。正レンズＧｆｐは第４レンズ群Ｌ４の物体側から数えて３番目に配置されたレンズであり、正レンズＧｒｐはズームレンズＺＬの最も像側に配置されたレンズである。
【００６９】
これらの構成により、図８の収差図に示すように小型かつ全ズーム範囲で倍率色収差補正ができるズームレンズを得ることができる。
【００７０】
［実施例５］
図９は実施例５のズームレンズＺＬの断面図であり、図１０（Ａ）は広角端において無限遠に合焦しているときのズームレンズＺＬの収差図であり、図１０（Ｂ）は望遠端において無限遠に合焦しているときのズームレンズＺＬの収差図である。
【００７１】
実施例５に係るズームレンズＺＬは、物体側から像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６、正の屈折力の第７レンズ群からなる。開口絞りＳＰは第３レンズ群の最も物体側に配置されている。
【００７２】
具体的には広角端から望遠端へのズーミングに際して、全てのレンズ群が物体側へ移動する。当該ズーミングに際して、第１レンズ群Ｌ１と第２レンズ群Ｌ２の間隔は広がり、第２レンズ群Ｌ２と第３レンズ群Ｌ３の間隔は狭まり、第３レンズ群Ｌ３と第４レンズ群Ｌ４の間隔は広がり、第４レンズ群Ｌ４と第５レンズ群Ｌ５の間隔は狭まり、第５レンズ群Ｌ５と第６レンズ群Ｌ６の間隔は狭まり、第６レンズ群Ｌ６と第７レンズ群Ｌ７の間隔は広がる。
【００７３】
無限遠物体から最至近距離物体へのフォーカシングに際して第６レンズ群Ｌ６が像側へ移動する。像ぶれ補正に際して、第４レンズ群Ｌ４が光軸に垂直方向の成分を含む方向に移動する。
【００７４】
第１レンズ群Ｌ１は、最も物体側から像側に順に配置された、負レンズＧ１ｎ、正レンズＧ２ｐ、正レンズＧ３ｐからなる。正レンズＧｆｐは部分群ＩＳの像側に隣接して配置されたレンズであり、正レンズＧｒｐはズームレンズＺＬの最も像側に配置されたレンズである。
【００７５】
これらの構成により、図１０の収差図に示すように小型かつ全ズーム範囲で倍率色収差補正ができるズームレンズを得ることができる。
【００７６】
以上、本発明の好ましいズームレンズの実施例について説明したが、本発明のズームレンズこれらの実施例に限定されず、その要旨の範囲内で種々の変形及び変更が可能である。
【００７７】
［数値実施例］
以下に、実施例１〜５のそれぞれに対応する数値実施例１〜５を示す。また、数値実施例１〜６において、面番号は、物体側からの光学面の順序を示す。ｒは光学面の曲率半径（ｍｍ）、ｄは隣り合う光学面の間隔（ｍｍ）、ｎｄはｄ線における光学部材の材料の屈折率、νｄはｄ線を基準とした光学部材の材料のアッベ数を示す。フラウンホーファー線のｇ線（波長４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇ、ＮＦ、Ｎｄ、ＮＣとするとき、アッベ数νｄを、
νｄ＝（Ｎｄ−１）／（ＮＦ−ＮＣ）
として表す。ＢＦはバックフォーカスを示す。
【００７８】
非球面は各数値実施例中の面番号の右側に＊印を付している。非球面形状は光軸方向をＸ軸、光軸と垂直方向をＨ軸、光の進行方向を正、Ｒを近軸曲率半径、Ｋを円錐定数、Ｂ、Ｃ、Ｄ、Ｅ、Ｆをそれぞれ非球面係数とするとき、
【００７９】
【数１】
2019158960.tif 000016
【００８０】
で表している。非球面係数の「ｅ−ｘ」は１０−ｘを意味する。
【００８１】
数値実施例１〜５のそれぞれにおける、条件式（１）〜（１５）に対応する値を［表１］に示す。
【００８２】
［数値実施例１］
単位 mm
面データ
面番号       r        d      nd         νd       有効径
1        234.000    2.10   1.80810    22.8       61.82
2        102.222    5.39   1.65160    58.5       60.07
3       1002.275    0.15                         59.72
4         70.728    5.94   1.65160    58.5       57.39
5        263.788  (可変)                         56.59
6*        53.891    1.50   1.91082    35.3       33.28
7*        17.511    7.24                         25.65
8        -89.151    1.20   1.83481    42.7       24.47
9         18.308    6.18   1.92119    24.0       21.52
10       -113.117    1.99                         20.26
11        -25.280    1.20   1.62041    60.3       19.65
12       -198.845  (可変)                         21.03
13(絞り)    ∞       0.39                         23.05
14         27.080    5.79   1.53775    74.7       25.69
15       -119.898    0.15                         25.74
16         37.308    3.51   1.76802    49.2       25.50
17*       733.132    3.46                         25.01
18        -44.437    1.20   1.91082    35.3       23.93
19         18.367    7.05   1.64766    38.1       23.68
20       -536.395  (可変)                         24.30
21         28.116    5.56   1.59522    67.7       25.91
22       -137.421    0.15                         25.61
23         31.020    1.10   2.00100    29.1       25.90
24         17.460    7.68   1.58313    59.4       24.54
25*      -100.096  (可変)                         24.45
26       -527.022    2.91   2.00100    29.1       24.44
27        -42.249    1.50   1.85400    40.4       24.47
28*        60.010  (可変)                         24.35
29        -18.813    1.40   1.77250    49.6       26.67
30        -47.244    0.15                         30.78
31        124.255    4.40   1.76182    26.5       35.40
32        -93.259  (可変)                         36.00
像面        ∞
非球面データ
第6面
K = 0.00000e+000  A 4=-1.42814e-006  A 6= 4.56859e-008  A 8=-1.41731e-010
A10= 1.88542e-013
第7面
K = 0.00000e+000  A 4=-5.94471e-006  A 6= 4.51548e-008
第17面
K = 0.00000e+000  A 4= 2.00066e-006  A 6=-1.04974e-008  A 8= 1.91606e-012
A10=-6.47401e-014
第25面
K = 0.00000e+000  A 4= 1.87555e-005  A 6= 1.45857e-008  A 8=-8.18426e-011
A10= 5.26187e-013
第28面
K = 0.00000e+000  A 4=-1.34460e-006  A 6=-8.69731e-009  A 8= 6.53417e-011
A10=-2.51887e-013
各種データ
ズーム比      5.30
広角     中間     望遠
焦点距離      24.72    58.45   131.00
Fナンバー      4.12     4.12     4.12
半画角（度）  41.19    20.31     9.38
像高          21.64    21.64    21.64
レンズ全長   137.50   168.99   200.49
BF            13.50    25.49    31.74
d 5            0.70    28.53    53.13
d12           18.75     8.29     2.50
d20            8.43     4.49     1.00
d25            1.80     1.79     1.50
d28           15.03    21.11    31.32
d32           13.50    25.49    31.74
レンズ群データ
群  始面    焦点距離
1    1     124.23
2    6     -16.77
3   13      52.56
4   21      26.43
5   26     -78.97
6   29    -111.09
【００８３】
［数値実施例２］
単位 mm
面データ
面番号       r        d      nd         νd       有効径
1        266.275    1.80   1.80810    22.8       63.00
2         93.368    6.52   1.72916    54.7       61.29
3          ∞       0.15                         60.87
4         49.826    6.97   1.72916    54.7       55.94
5        126.155  (可変)                         54.73
6         65.832    1.25   1.95375    32.3       31.37
7         15.019    8.19                         23.43
8*       -33.476    1.10   1.58313    59.4       22.88
9*        65.137    0.15                         21.96
10         40.325    5.03   1.80810    22.8       21.71
11        -40.325    0.97                         20.83
12        -25.491    1.00   1.80400    46.6       20.55
13        -63.435  (可変)                         20.09
14(絞り)    ∞       0.30                         19.35
15         44.965    2.30   1.91082    35.3       19.94
16          ∞       0.15                         19.93
17         21.533    1.00   1.95375    32.3       19.90
18         13.108    6.76   1.59522    67.7       18.66
19       -795.231    1.37                         18.10
20       -152.936    0.80   1.74951    35.3       17.70
21         16.038    2.88   2.00069    25.5       17.20
22         30.717    3.81                         16.77
23         76.401    0.75   1.78472    25.7       16.79
24         19.110    3.57   1.49700    81.5       16.59
25          ∞       0.15                         16.72
26*        24.461    7.26   1.58313    59.4       18.62
27*       -25.212  (可変)                         19.76
28        121.315    0.75   1.72916    54.7       19.99
29         23.846  (可変)                         19.90
30*       -43.071    1.50   1.76450    49.1       24.17
31*      -248.821  (可変)                         27.13
32        -68.116    4.50   1.80400    46.6       35.10
33        -32.318  (可変)                         36.00
像面        ∞
非球面データ
第8面
K = 0.00000e+000  A 4= 5.17863e-006  A 6=-6.74704e-008  A 8= 5.22888e-010
A10=-4.25942e-012  A12= 1.45835e-014
第9面
K = 0.00000e+000  A 4=-7.77410e-006  A 6=-4.92259e-008
第26面
K = 0.00000e+000  A 4=-2.73692e-005  A 6= 5.32572e-008  A 8=-8.44820e-010
A10= 5.56287e-012
第27面
K = 0.00000e+000  A 4= 1.47893e-005  A 6= 2.32565e-009  A 8=-6.75778e-010
A10= 4.79574e-012
第30面
K = 0.00000e+000  A 4=-8.05959e-005  A 6= 1.99191e-007  A 8=-1.06561e-009
A10=-7.47195e-013  A12= 8.67762e-015
第31面
K = 0.00000e+000  A 4=-7.18829e-005  A 6= 2.81391e-007  A 8=-1.44320e-009
A10= 4.20650e-012  A12=-5.37088e-015
各種データ
ズーム比      4.12
広角     中間     望遠
焦点距離      24.72    50.92   101.84
Fナンバー      4.12     4.12     4.12
半画角（度）  41.19    23.02    11.99
像高          21.64    21.64    21.64
レンズ全長   125.34   142.50   169.34
BF            17.88    19.75    30.96
d 5            0.75    15.82    34.38
d13           21.53     9.07     2.38
d27            1.80     3.37     1.40
d29           11.59    10.02    11.99
d31            0.80    13.48    17.24
d33           17.88    19.75    30.96
レンズ群データ
群  始面    焦点距離
1    1      88.25
2    6     -18.38
3   14      24.16
4   28     -40.84
5   30     -68.35
6   32      72.42 
【００８４】
［数値実施例３］
単位 mm
面データ
面番号       r        d      nd         νd       有効径
1        392.310    2.10   1.80810    22.8       68.00
2        127.503    4.67   1.72916    54.7       65.23
3        667.842    0.15                         64.73
4         54.884    7.42   1.72916    54.7       59.43
5        153.255  (可変)                         58.10
6         64.348    1.40   1.83481    42.7       36.58
7         17.048    7.44                         27.32
8       27996.689    1.20   1.59522    67.7       26.70
9         18.868    3.95   1.85478    24.8       23.49
10         39.686    3.55                         22.42
11        -43.850    1.20   1.58313    59.4       21.97
12*      -173.426    0.15                         21.36
13        355.894    5.77   1.59270    35.3       20.90
14        -18.473    1.10   1.88300    40.8       21.75
15        -58.258  (可変)                         23.67
16(絞り)    ∞       0.40                         26.23
17         87.834    3.83   1.76385    48.5       27.24
18        -65.580    0.15                         27.54
19         40.015    7.30   1.59522    67.7       27.85
20        -36.554    1.10   2.00069    25.5       27.36
21       -129.446    2.47                         27.32
22*       -51.044    1.50   1.58313    59.4       26.96
23         43.427    1.99   1.72825    28.5       27.07
24         76.138  (可変)                         27.03
25         27.612    6.78   1.49700    81.5       28.84
26       -136.151    0.15                         28.31
27         41.980    4.39   1.49700    81.5       28.27
28       -214.494    0.15                         27.93
29         44.999    6.97   1.49700    81.5       26.82
30        -32.436    1.50   1.85400    40.4       25.72
31*      3044.402  (可変)                         24.76
32        237.728    0.90   1.95375    32.3       24.75
33         31.850  (可変)                         24.60
34*       -55.904    1.40   1.58313    59.4       29.07
35*      68002.899    0.15                         32.08
36        178.752    5.17   2.00069    25.5       34.33
37        -55.299    1.40   1.88300    40.8       34.95
38       -102.512  (可変)                         36.01
像面        ∞
非球面データ
第12面
K = 0.00000e+000  A 4=-7.73015e-006  A 6=-2.45711e-009  A 8=-1.36991e-010
A10= 8.92197e-013  A12=-3.17289e-015
第22面
K = 0.00000e+000  A 4= 4.13779e-006  A 6= 3.95825e-009  A 8= 1.25042e-011
A10=-1.79610e-013  A12= 3.88483e-016
第31面
K = 0.00000e+000  A 4= 2.42610e-005  A 6= 7.09586e-009  A 8= 3.65492e-011
A10=-1.07614e-013  A12= 9.63094e-016
第34面
K = 0.00000e+000  A 4=-6.77153e-006  A 6=-3.91035e-008  A 8=-1.11068e-011
A10=-1.77528e-013  A12=-1.39223e-016
第35面
K = 0.00000e+000  A 4=-7.20605e-006  A 6=-2.55759e-008
各種データ
ズーム比      2.75
広角     中間     望遠
焦点距離      24.72    45.33    67.89
Fナンバー      2.88     2.88     2.88
半画角（度）  41.19    25.51    17.68
像高          21.64    21.64    21.64
レンズ全長   144.51   160.46   176.40
BF            15.00    26.31    35.56
d 5            0.80    18.69    29.07
d15           15.62     6.31     2.49
d24           13.16     8.12     6.11
d31            1.50     2.09     1.49
d33           10.63    11.14    13.87
d38           15.00    26.31    35.56
レンズ群データ
群  始面    焦点距離
1    1     109.80
2    6     -17.10
3   16      51.53
4   25      27.65
5   32     -38.64
6   34     160.61
【００８５】
［数値実施例４］
単位 mm
面データ
面番号       r        d      nd         νd       有効径
1        983.117    2.20   1.89286    20.4       70.24
2        120.082    6.45   1.80400    46.6       67.51
3      -1883.254    0.15                         66.97
4         56.827    6.08   1.83481    42.7       59.58
5        121.126  (可変)                         58.36
6*       153.722    1.40   1.88300    40.8       36.81
7         21.563    9.01                         28.82
8        -42.882    1.05   1.59522    67.7       27.11
9         30.354    5.08   1.85478    24.8       26.12
10       -541.605    0.52                         26.71
11      -7005.428    5.97   1.67542    34.8       27.07
12        -26.046    1.10   1.88300    40.8       27.69
13        -55.419    2.80                         28.98
14        -25.411    1.20   1.88300    40.8       29.03
15        -45.296  (可変)                         31.31
16(絞り)    ∞       1.90                         33.71
17         43.651    7.10   1.59522    67.7       38.91
18       -305.501    0.15                         39.01
19*       100.151    5.12   1.49700    81.5       39.02
20       -160.893    0.15                         38.66
21        105.624    4.99   1.43875    94.9       37.35
22       -100.145    6.71                         36.67
23        -27.918    1.40   2.00100    29.1       34.73
24        -69.855  (可変)                         36.95
25         68.659    6.55   1.59522    67.7       39.03
26        -98.680    0.20                         39.01
27         52.428    6.17   1.59522    67.7       37.50
28       -184.881    0.20                         37.07
29         41.236   10.99   1.43875    94.9       35.27
30        -34.167    1.40   2.00100    29.1       33.94
31        -52.555    0.20                         33.88
32*        52.119    1.20   1.85400    40.4       30.32
33         24.920   10.17                         28.39
34        -22.082    1.30   1.57135    53.0       28.56
35        175.610    4.94   2.00069    25.5       34.38
36        -63.122  (可変)                         35.25
像面        ∞
非球面データ
第6面
K = 0.00000e+000  A 4= 5.76266e-006  A 6=-3.93663e-009  A 8= 1.18134e-011
A10=-2.44731e-014  A12= 4.06164e-017
第19面
K = 0.00000e+000  A 4=-5.02832e-007  A 6= 4.82186e-009  A 8= 2.64122e-013
A10=-3.67074e-015  A12= 3.42146e-017
第32面
K = 0.00000e+000  A 4=-1.44518e-005  A 6=-2.24546e-008  A 8= 4.65187e-011
A10=-2.35244e-013  A12= 4.61523e-016
各種データ
ズーム比      2.75
広角     中間     望遠
焦点距離      24.70    35.76    67.86
Fナンバー      2.06     2.06     2.06
半画角（度）  41.22    31.18    17.68
像高          21.64    21.64    21.64
レンズ全長   152.24   158.86   179.82
BF            12.93    19.69    30.66
d 5            3.52    13.78    34.37
d15           15.06     8.15     0.21
d24            6.87     3.39     0.73
d36           12.93    19.69    30.66
レンズ群データ
群  始面    焦点距離
1    1     114.57
2    6     -19.45
3   16      57.66
4   25      37.36
【００８６】
［数値実施例５］
単位 mm
面データ
面番号       r        d      nd         νd       有効径
1        232.357    2.10   1.80809    22.8       68.69
2         90.381    5.78   1.77250    49.6       65.95
3        323.713    0.15                         65.38
4         59.139    7.05   1.72916    54.7       60.67
5        166.984  (可変)                         59.46
6         67.802    1.40   1.88300    40.8       38.53
7         18.663    8.67                         29.19
8       -115.164    1.20   1.49700    81.5       28.34
9         21.412    3.87   1.85478    24.8       24.87
10         47.653    4.17                         23.86
11        -48.039    1.00   1.72916    54.7       22.68
12        425.782    0.29                         22.04
13         93.568    6.03   1.59270    35.3       21.73
14        -24.518    1.05   1.83481    42.7       22.50
15        -71.957  (可変)                         23.85
16(絞り)    ∞       0.40                         25.91
17         78.059    4.31   1.76385    48.5       26.86
18        -59.447    0.15                         27.13
19         40.155    7.40   1.49700    81.5       26.92
20        -33.807    1.10   2.00069    25.5       26.27
21       -143.919  (可変)                         26.33
22*       -63.149    1.65   1.58313    59.4       26.06
23         45.825    1.92   1.76182    26.5       26.27
24         84.251  (可変)                         26.24
25         26.393    8.28   1.49700    81.5       27.41
26        -69.360    0.35                         27.25
27         39.335    1.15   1.73800    32.3       26.90
28         26.899    7.03   1.53775    74.7       26.14
29        -73.879    0.15                         25.50
30*      -602.944    1.70   1.85400    40.4       25.28
31*       131.941  (可変)                         24.90
32         60.209    0.90   1.80400    46.6       25.51
33         23.878  (可変)                         25.06
34*       -52.714    1.70   1.58313    59.4       29.85
35*     -3211.285    0.15                         32.97
36        317.277    3.23   2.00100    29.1       35.27
37       -114.700  (可変)                         35.82
像面        ∞
非球面データ
第22面
K = 0.00000e+000  A 4= 3.01280e-006  A 6=-9.03767e-010  A 8= 5.61555e-011  A10=
-4.27609e-013  A12= 9.23668e-016
第30面
K = 0.00000e+000  A 4=-5.55314e-005  A 6= 2.14060e-007  A 8=-4.57909e-011  A10=
-2.74784e-012  A12= 6.52571e-015
第31面
K = 0.00000e+000  A 4=-3.45440e-005  A 6= 2.65378e-007  A 8=-1.27555e-010  A10=
-2.40980e-012  A12= 7.25838e-015
第34面
K = 0.00000e+000  A 4=-3.28022e-005  A 6= 1.26827e-007  A 8=-2.01507e-010  A10=
-1.63600e-012  A12= 4.86504e-015
第35面
K = 0.00000e+000  A 4=-3.30256e-005  A 6= 1.44829e-007  A 8=-5.66682e-010  A10=
8.17897e-013  A12=-2.19929e-016
各種データ
ズーム比      2.75
広角     中間     望遠
焦点距離      24.72    44.86    67.89
Fナンバー      2.91     2.91     2.91
半画角（度）  41.19    25.75    17.68
像高          21.64    21.64    21.64
レンズ全長   144.09   158.48   172.87
BF            14.37    26.78    35.69
d 5            0.80    17.98    29.93
d15           16.15     7.07     2.40
d21            2.26     2.23     2.54
d24           11.08     4.97     2.87
d31            2.16     1.42     1.33
d33           12.96    13.70    13.79
d37           14.37    26.78    35.69
レンズ群データ
群  始面    焦点距離
1    1     113.48
2    6     -18.58
3   16      35.84
4   22     -69.07
5   25      28.29
6   32     -49.77
7   34     785.94
【００８７】
【表１】
2019158960.tif 000017
【００８８】
［撮像装置の実施例］
次に、本発明のズームレンズを撮影光学系として用いた撮像装置の実施例について図１１を用いて説明する。撮像装置１０は、例えば、デジタルスチルカメラ、ビデオカメラ、監視カメラ、放送用カメラ等の撮像素子を用いた撮像装置、または銀塩写真フィルムを用いたカメラ等の撮像装置である。
【００８９】
図１１において、撮像装置１０は、実施例１〜５で説明したズームレンズのいずれかである撮影光学系１１と、撮像装置１０に内蔵され且つ撮影光学系１１によって形成された被写体像を受光する撮像素子（光電変換素子）１２とを有する。撮像素子１２は、例えばＣＣＤセンサやＣＭＯＳセンサ等である。
【００９０】
このように本発明のズームレンズを各種撮像装置の撮影光学系に適用することができる。これにより、小型かつ高ズーム比で、全ズーム範囲で高い光学性能を有する撮像装置を得ることができる。
【符号の説明】
【００９１】
Ｌ１  第１レンズ群
Ｌ２  第２レンズ群
Ｌｒ  後群
Ｇ１ｎ  負レンズ
Ｇ１ｐ、Ｇ２ｐ、Ｇｒｐ  正レンズ
ＺＬ  ズームレンズ
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
複数のレンズ群を有し、ズーミングに際して隣り合うレンズ群の間隔が変化するズームレンズであって、
前記複数のレンズ群は、物体側から像側へ順に配置された、正の屈折力の第１レンズ群、負の屈折力の第２レンズ群、複数のレンズ群を含み全体として正の屈折力の後群からなり、
広角端から望遠端へのズーミングに際して、前記第１レンズ群が物体側へ移動し、
前記第１レンズ群は、最も物体側に配置された負レンズと、該負レンズの像側に配置され該負レンズよりも材料のアッベ数が大きな正レンズを複数有し、
前記後群中の最も像側に配置されたレンズ群は正レンズＧｒｐを有し、
前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔ、前記第１レンズ群の焦点距離をｆ１とするとき、
１５．００＜νｄ１ｎ＜２３．４０
１．７０＜ｎｄｒｐ＜２．２０
１．５０＜ｓｋｔ／ｓｋｗ＜２．６０
２．３０＜ｆ１／ｓｋｔ＜４．７０
なる条件式を満たすことを特徴とするズームレンズ。
【請求項２】
前記第２レンズ群の焦点距離をｆ２とするとき、
０．８０＜｜ｆ２｜／ｓｋｗ＜１．８０
なる条件式を満たすことを特徴とする請求項１に記載のズームレンズ。
【請求項３】
前記後群は、前記正レンズＧｒｐよりも物体側に配置された正レンズの材料のアッベ数をνｆｐとするとき、
７３．００＜νｆｐ＜１００．００
なる条件式を満たす正レンズＧｆｐを有することを特徴とする請求項１または２に記載のズームレンズ。
【請求項４】
前記正レンズＧｆｐの焦点距離をｆｆｐとするとき、
１．４０＜ｆｆｐ／ｆｗ＜２．００
なる条件式を満たすことを特徴とする請求項３に記載のズームレンズ。
【請求項５】
複数のレンズ群を有し、ズーミングに際して隣り合うレンズ群の間隔が変化するズームレンズであって、
前記複数のレンズ群は、物体側から像側へ順に配置された、正の屈折力の第１レンズ群、負の屈折力の第２レンズ群、複数のレンズ群を含み全体として正の屈折力の後群からなり、
広角端から望遠端へのズーミングに際して、前記第１レンズ群が物体側へ移動し、
前記第１レンズ群は、最も物体側に配置された負レンズと、該負レンズの像側に配置され該負レンズよりも材料のアッベ数が大きな正レンズを複数有し、
前記後群中の最も像側に配置されたレンズ群は正レンズＧｒｐを有し、
前記後群は、前記正レンズＧｒｐよりも物体側に配置された正レンズの材料のアッベ数をνｆｐとするとき、
７３．００＜νｆｐ＜１００．００
なる条件式を満たす正レンズＧｆｐを有し、
前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔ、前記第２レンズ群の焦点距離をｆ２とするとき、
１５．００＜νｄ１ｎ＜２３．４０
１．７０＜ｎｄｒｐ＜２．２０
１．５０＜ｓｋｔ／ｓｋｗ＜２．６０
０．８０＜｜ｆ２｜／ｓｋｗ＜１．８０
なる条件式を満たすことを特徴とするズームレンズ。
【請求項６】
前記正レンズＧｆｐの焦点距離をｆｆｐとするとき、
１．４０＜ｆｆｐ／ｆｗ＜２．００
なる条件式を満たすことを特徴とする請求項５に記載のズームレンズ。
【請求項７】
前記第１レンズ群に含まれる複数の正レンズの材料のｄ線における屈折率の平均値をｎｄ１ｐとするとき、
１．６０＜ｎｄ１ｐ＜２．００
なる条件式を満たすことを特徴とする請求項１乃至６のいずれか１項に記載のズームレンズ。
【請求項８】
前記正レンズＧｒｐの材料のアッベ数をνｄｒｐとするとき、
０．４０＜νｄ１ｎ／νｄｒｐ＜１．００
なる条件式を満たすことを特徴とする請求項１乃至７のいずれか１項に記載のズームレンズ。
【請求項９】
前記正レンズＧｒｐの焦点距離をｆｒｐ、望遠端における前記ズームレンズの焦点距離をｆｔとするとき、
０．４０＜ｆｒｐ／ｆｔ＜１．４０
なる条件式を満たすことを特徴とする請求項１乃至８のいずれか１項に記載のズームレンズ。
【請求項１０】
望遠端における前記ズームレンズのＦナンバーをＦｎｏｔ、前記第１レンズ群の焦点距離をｆ１、望遠端における前記ズームレンズの焦点距離をｆｔとするとき、
３．００＜（Ｆｎｏｔ×ｆ１）／ｆｔ＜５．５０
なる条件式を満たすことを特徴とする請求項１乃至９のいずれか１項に記載のズームレンズ。
【請求項１１】
前記第２レンズ群の焦点距離をｆ２、広角端における前記ズームレンズの焦点距離をｆｗとするとき、
０．５０＜｜ｆ２｜／ｆｗ＜１．００
なる条件式を満たすことを特徴とする請求項１乃至１０のいずれか１項に記載のズームレンズ。
【請求項１２】
望遠端における前記ズームレンズのレンズ全長をＬｔとするとき、
３．８０＜Ｌｔ／ｓｋｔ＜７．６０
なる条件式を満たすことを特徴とする請求項１乃至１１のいずれか１項に記載のズームレンズ。
【請求項１３】
前記正レンズＧｒｐの物体側のレンズ面の曲率半径をＲ１、前記正レンズＧｒｐの像面側のレンズ面の曲率半径をＲ２とするとき、
０．００＜（Ｒ１＋Ｒ２）／（Ｒ１−Ｒ２）＜４．００
なる条件式を満たすことを特徴とする請求項１乃至１２のいずれか１項に記載のズームレンズ。
【請求項１４】
広角端における前記正レンズＧｒｐの像側のレンズ面から像面までの光軸上の距離をＬｒｐ、広角端における前記ズームレンズのレンズ全長をＬｗとするとき、
０．０５＜Ｌｒｐ／Ｌｗ＜０．２０
なる条件式を満たすことを特徴とする請求項１乃至１３のいずれか１項に記載のズームレンズ。
【請求項１５】
広角端から望遠端へのズーミングに際して、前記第１レンズ群と前記第２レンズ群の間隔は広がることを特徴とする請求項１乃至１４のいずれか１項に記載ズームレンズ。
【請求項１６】
前記後群は、物体側から像側へ順に配置された、正の屈折力の第３レンズ群、正の屈折力の第４レンズ群、負の屈折力の第５レンズ群、負の屈折力の第６レンズ群からなることを特徴とする請求項１乃至１５のいずれか１項に記載のズームレンズ。
【請求項１７】
前記後群は、物体側から像側へ順に配置された、正の屈折力の第３レンズ群、負の屈折力の第４レンズ群、負の屈折力の第５レンズ群、正の屈折力の第６レンズ群からなることを特徴とする請求項１乃至１５のいずれか１項に記載のズームレンズ。
【請求項１８】
前記後群は、物体側から像側へ順に配置された、正の屈折力の第３レンズ群、正の屈折力の第４レンズ群、負の屈折力の第５レンズ群、正の屈折力の第６レンズ群からなることを特徴とする請求項１乃至１５のいずれか１項に記載のズームレンズ。
【請求項１９】
前記後群は、物体側から像側へ順に配置された、正の屈折力の第３レンズ群、正の屈折力の第４レンズ群からなることを特徴とする請求項１乃至１５のいずれか１項に記載のズームレンズ。
【請求項２０】
前記後群は、物体側から像側へ順に配置された、正の屈折力の第３レンズ群、負の屈折力の第４レンズ群、正の屈折力の第５レンズ群、負の屈折力の第６レンズ群、正の屈折力の第７レンズ群からなることを特徴とする請求項１乃至１５のいずれか１項に記載のズームレンズ。
【請求項２１】
複数のレンズ群を有し、ズーミングに際して隣り合うレンズ群の間隔が変化するズームレンズであって、
前記複数のレンズ群は、物体側から像側へ順に配置された、正の屈折力の第１レンズ群、負の屈折力の第２レンズ群、正の屈折力の第３レンズ群、正の屈折力の第４レンズ群、負の屈折力の第５レンズ群、負の屈折力の第６レンズ群からなり、
前記第３レンズ群乃至第６レンズ群は全体として正の屈折力を有し、
広角端から望遠端へのズーミングに際して、前記第１レンズ群が物体側へ移動し、
前記第１レンズ群は、最も物体側に配置された負レンズと、該負レンズの像側に配置され該負レンズよりも材料のアッベ数が大きな正レンズを複数有し、
前記後群中の最も像側に配置されたレンズ群は正レンズＧｒｐを有し、
前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔとするとき、
１５．００＜νｄ１ｎ＜２３．４０
１．７０＜ｎｄｒｐ＜２．２０
１．５０＜ｓｋｔ／ｓｋｗ＜２．６０
なる条件式を満たすことを特徴とするズームレンズ。
【請求項２２】
複数のレンズ群を有し、ズーミングに際して隣り合うレンズ群の間隔が変化するズームレンズであって、
前記複数のレンズ群は、物体側から像側へ順に配置された、正の屈折力の第１レンズ群、負の屈折力の第２レンズ群、正の屈折力の第３レンズ群、負の屈折力の第４レンズ群、負の屈折力の第５レンズ群、正の屈折力の第６レンズ群からなり、
前記第３レンズ群乃至前記第６レンズ群は全体として正の屈折力を有し、
広角端から望遠端へのズーミングに際して、前記第１レンズ群が物体側へ移動し、
前記第１レンズ群は、最も物体側に配置された負レンズと、該負レンズの像側に配置され該負レンズよりも材料のアッベ数が大きな正レンズを複数有し、
前記後群中の最も像側に配置されたレンズ群は正レンズＧｒｐを有し、
前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔとするとき、
１５．００＜νｄ１ｎ＜２３．４０
１．７０＜ｎｄｒｐ＜２．２０
１．５０＜ｓｋｔ／ｓｋｗ＜２．６０
なる条件式を満たすことを特徴とするズームレンズ。
【請求項２３】
複数のレンズ群を有し、ズーミングに際して隣り合うレンズ群の間隔が変化するズームレンズであって、
前記複数のレンズ群は、物体側から像側へ順に配置された、正の屈折力の第１レンズ群、負の屈折力の第２レンズ群、正の屈折力の第３レンズ群、正の屈折力の第４レンズ群、負の屈折力の第５レンズ群、正の屈折力の第６レンズ群からなり、
前記第３レンズ群乃至前記第６レンズ群は全体として正の屈折力を有し、
広角端から望遠端へのズーミングに際して、前記第１レンズ群が物体側へ移動し、
前記第１レンズ群は、最も物体側に配置された負レンズと、該負レンズの像側に配置され該負レンズよりも材料のアッベ数が大きな正レンズを複数有し、
前記後群中の最も像側に配置されたレンズ群は正レンズＧｒｐを有し、
前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔとするとき、
１５．００＜νｄ１ｎ＜２３．４０
１．７０＜ｎｄｒｐ＜２．２０
１．５０＜ｓｋｔ／ｓｋｗ＜２．６０
なる条件式を満たすことを特徴とするズームレンズ。
【請求項２４】
複数のレンズ群を有し、ズーミングに際して隣り合うレンズ群の間隔が変化するズームレンズであって、
前記複数のレンズ群は、物体側から像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群からなり、
前記第３レンズ群乃至前記第７レンズ群は全体として正の屈折力を有し、
広角端から望遠端へのズーミングに際して、前記第１レンズ群が物体側へ移動し、
前記第１レンズ群は、最も物体側に配置された負レンズと、該負レンズの像側に配置され該負レンズよりも材料のアッベ数が大きな正レンズを複数有し、
前記後群中の最も像側に配置されたレンズ群は正レンズＧｒｐを有し、
前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔとするとき、
１５．００＜νｄ１ｎ＜２３．４０
１．７０＜ｎｄｒｐ＜２．２０
１．５０＜ｓｋｔ／ｓｋｗ＜２．６０
なる条件式を満たすことを特徴とするズームレンズ。
【請求項２５】
請求項１乃至２４のいずれか１項に記載のズームレンズと、該ズームレンズによって形成された像を受光する撮像素子を有することを特徴とする撮像装置。
【手続補正２】
【補正対象書類名】明細書
【補正対象項目名】０００７
【補正方法】変更
【補正の内容】
【０００７】
本発明の一実施形態に係るズームレンズは、複数のレンズ群を有し、ズーミングに際して隣り合うレンズ群の間隔が変化するズームレンズであって、前記複数のレンズ群は、物体側から像側へ順に配置された、正の屈折力の第１レンズ群、負の屈折力の第２レンズ群、複数のレンズ群を含み全体として正の屈折力の後群からなり、広角端から望遠端へのズーミングに際して、前記第１レンズ群が物体側へ移動し、前記第１レンズ群は、最も物体側に配置された負レンズと、該負レンズの像側に配置され該負レンズよりも材料のアッベ数が大きな正レンズを複数有し、前記後群中の最も像側に配置されたレンズ群は正レンズＧｒｐを有し、前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔ、前記第１レンズ群の焦点距離をｆ１とするとき、
１５．００＜νｄ１ｎ＜２３．４０
１．７０＜ｎｄｒｐ＜２．２０
１．５０＜ｓｋｔ／ｓｋｗ＜２．６０
２．３０＜ｆ１／ｓｋｔ＜４．７０
なる条件式を満たすことを特徴とする。
本発明の一実施形態に係るズームレンズは、複数のレンズ群を有し、ズーミングに際して隣り合うレンズ群の間隔が変化するズームレンズであって、前記複数のレンズ群は、物体側から像側へ順に配置された、正の屈折力の第１レンズ群、負の屈折力の第２レンズ群、複数のレンズ群を含み全体として正の屈折力の後群からなり、広角端から望遠端へのズーミングに際して、前記第１レンズ群が物体側へ移動し、前記第１レンズ群は、最も物体側に配置された負レンズと、該負レンズの像側に配置され該負レンズよりも材料のアッベ数が大きな正レンズを複数有し、前記後群中の最も像側に配置されたレンズ群は正レンズＧｒｐを有し、
前記後群は、前記正レンズＧｒｐよりも物体側に配置された正レンズの材料のアッベ数をνｆｐとするとき、
７３．００＜νｆｐ＜１００．００
なる条件式を満たす正レンズＧｆｐを有し、
前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔ、前記第２レンズ群の焦点距離をｆ２とするとき、
１５．００＜νｄ１ｎ＜２３．４０
１．７０＜ｎｄｒｐ＜２．２０
１．５０＜ｓｋｔ／ｓｋｗ＜２．６０
０．８０＜｜ｆ２｜／ｓｋｗ＜１．８０
なる条件式を満たすことを特徴とする。
本発明の一実施形態に係るズームレンズは、複数のレンズ群を有し、ズーミングに際して隣り合うレンズ群の間隔が変化するズームレンズであって、前記複数のレンズ群は、物体側から像側へ順に配置された、正の屈折力の第１レンズ群、負の屈折力の第２レンズ群、正の屈折力の第３レンズ群、正の屈折力の第４レンズ群、負の屈折力の第５レンズ群、負の屈折力の第６レンズ群からなり、前記第３レンズ群乃至第６レンズ群は全体として正の屈折力を有し、広角端から望遠端へのズーミングに際して、前記第１レンズ群が物体側へ移動し、前記第１レンズ群は、最も物体側に配置された負レンズと、該負レンズの像側に配置され該負レンズよりも材料のアッベ数が大きな正レンズを複数有し、前記後群中の最も像側に配置されたレンズ群は正レンズＧｒｐを有し、前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔとするとき、
１５．００＜νｄ１ｎ＜２３．４０
１．７０＜ｎｄｒｐ＜２．２０
１．５０＜ｓｋｔ／ｓｋｗ＜２．６０
なる条件式を満たすことを特徴とする。
本発明の一実施形態に係るズームレンズは、複数のレンズ群を有し、ズーミングに際して隣り合うレンズ群の間隔が変化するズームレンズであって、前記複数のレンズ群は、物体側から像側へ順に配置された、正の屈折力の第１レンズ群、負の屈折力の第２レンズ群、正の屈折力の第３レンズ群、負の屈折力の第４レンズ群、負の屈折力の第５レンズ群、正の屈折力の第６レンズ群からなり、前記第３レンズ群乃至前記第６レンズ群は全体として正の屈折力を有し、広角端から望遠端へのズーミングに際して、前記第１レンズ群が物体側へ移動し、前記第１レンズ群は、最も物体側に配置された負レンズと、該負レンズの像側に配置され該負レンズよりも材料のアッベ数が大きな正レンズを複数有し、前記後群中の最も像側に配置されたレンズ群は正レンズＧｒｐを有し、前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔとするとき、
１５．００＜νｄ１ｎ＜２３．４０
１．７０＜ｎｄｒｐ＜２．２０
１．５０＜ｓｋｔ／ｓｋｗ＜２．６０
なる条件式を満たすことを特徴とする。
本発明の一実施形態に係るズームレンズは、複数のレンズ群を有し、ズーミングに際して隣り合うレンズ群の間隔が変化するズームレンズであって、前記複数のレンズ群は、物体側から像側へ順に配置された、正の屈折力の第１レンズ群、負の屈折力の第２レンズ群、正の屈折力の第３レンズ群、正の屈折力の第４レンズ群、負の屈折力の第５レンズ群、正の屈折力の第６レンズ群からなり、前記第３レンズ群乃至前記第６レンズ群は全体として正の屈折力を有し、広角端から望遠端へのズーミングに際して、前記第１レンズ群が物体側へ移動し、前記第１レンズ群は、最も物体側に配置された負レンズと、該負レンズの像側に配置され該負レンズよりも材料のアッベ数が大きな正レンズを複数有し、前記後群中の最も像側に配置されたレンズ群は正レンズＧｒｐを有し、前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔとするとき、
１５．００＜νｄ１ｎ＜２３．４０
１．７０＜ｎｄｒｐ＜２．２０
１．５０＜ｓｋｔ／ｓｋｗ＜２．６０
なる条件式を満たすことを特徴とする。
本発明の一実施形態に係るズームレンズは、複数のレンズ群を有し、ズーミングに際して隣り合うレンズ群の間隔が変化するズームレンズであって、前記複数のレンズ群は、物体側から像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群からなり、前記第３レンズ群乃至前記第７レンズ群は全体として正の屈折力を有し、広角端から望遠端へのズーミングに際して、前記第１レンズ群が物体側へ移動し、前記第１レンズ群は、最も物体側に配置された負レンズと、該負レンズの像側に配置され該負レンズよりも材料のアッベ数が大きな正レンズを複数有し、前記後群中の最も像側に配置されたレンズ群は正レンズＧｒｐを有し、前記負レンズの材料のアッベ数をνｄ１ｎ、前記正レンズＧｒｐの材料のｄ線における屈折率をｎｄｒｐ、広角端における前記ズームレンズのバックフォーカスをｓｋｗ、望遠端における前記ズームレンズのバックフォーカスをｓｋｔとするとき、
１５．００＜νｄ１ｎ＜２３．４０
１．７０＜ｎｄｒｐ＜２．２０
１．５０＜ｓｋｔ／ｓｋｗ＜２．６０
なる条件式を満たすことを特徴とする。